(57)【特許請求の範囲】
【請求項１】
複数のダウンリンクキャリアのうちの第１のダウンリンクキャリアで第１のデータ送信を受信することと、
前記第１のデータ送信に関するフィードバック情報を決定することと、
前記フィードバック情報を送信するために、指定されるアップリンクキャリアを使用するか、或いは、ペアにされるアップリンクキャリアを使用するかを示すフラグを受信することと、ここにおいて、前記ペアにされるアップリンクキャリアは、前記第１のデータ送信に使用される前記第１のダウンリンクキャリア又はダウンリンクグラントを送信するために使用される第２のダウンリンクキャリアに対応付けられる、
前記フラグに基づいて、複数のアップリンクキャリアの中から、前記フィードバック情報を送信するために使用するアップリンクキャリアを決定することと、
前記アップリンクキャリアで前記フィードバック情報を送信することと、
を具備する無線通信の方法。
【請求項２】
前記フィードバック情報は、肯定応答（ＡＣＫ）情報、或いは、チャネル品質指標（ＣＱＩ）情報、或いは、これら両方を含む、請求項１の方法。
【請求項３】
前記複数のダウンリンクキャリアのうちの前記第２のダウンリンクキャリアでダウンリンクグラントを受信することをさらに具備し、前記ダウンリンクグラントは、前記第２のダウンリンクキャリアでの第２のデータ送信に関するものであり、前記フィードバック情報を送信するために使用する前記アップリンクキャリアは、前記ダウンリンクグラントを送信するために使用される前記第２のダウンリンクキャリアとペアにされる、請求項１の方法。
【請求項４】
前記アップリンクキャリアは、前記複数のダウンリンクキャリアに関するフィードバック情報を送信するために使用される、請求項１の方法。
【請求項５】
前記複数のダウンリンクキャリアのうちの前記第２のダウンリンクキャリアで第２のデータ送信を受信することと、
前記アップリンクキャリアで前記第２のデータ送信に関するフィードバック情報を送信することと、をさらに具備する請求項１の方法。
【請求項６】
複数のダウンリンクキャリアのうちの第１のダウンリンクキャリアで第１のデータ送信を受信する手段と、
前記第１のデータ送信に関するフィードバック情報を決定する手段と、
前記フィードバック情報を送信するために、指定されるアップリンクキャリアを使用するか、或いは、ペアにされるアップリンクキャリアを使用するかを示すフラグを受信する手段と、ここにおいて、前記ペアにされるアップリンクキャリアは、前記第１のデータ送信に使用される前記第１のダウンリンクキャリア又はダウンリンクグラントを送信するために使用される第２のダウンリンクキャリアに対応付けられる、
前記フラグに基づいて、複数のアップリンクキャリアの中から、前記フィードバック情報を送信するために使用するアップリンクキャリアを決定する手段と、
前記アップリンクキャリアで前記フィードバック情報を送信する手段と、
を具備する無線通信のための装置。
【請求項７】
前記複数のダウンリンクキャリアのうちの前記第２のダウンリンクキャリアでダウンリンクグラントを受信する手段をさらに具備し、前記ダウンリンクグラントは、前記第２のダウンリンクキャリアでの第２のデータ送信に関するものであり、前記フィードバック情報を送信するために使用する前記アップリンクキャリアは、前記ダウンリンクグラントを送信するために使用される前記第２のダウンリンクキャリアとペアにされる、請求項６の装置。
【請求項８】
複数のダウンリンクキャリアのうちの第１のダウンリンクキャリアで第１のデータ送信を受信し、前記第１のデータ送信に関するフィードバック情報を決定し、前記フィードバック情報を送信するために、指定されるアップリンクキャリアを使用するか、或いは、ペアにされるアップリンクキャリアを使用するかを示すフラグを受信し、ここにおいて、前記ペアにされるアップリンクキャリアは、前記第１のデータ送信に使用される前記第１のダウンリンクキャリア又はダウンリンクグラントを送信するために使用される第２のダウンリンクキャリアに対応付けられ、前記フラグに基づいて、複数のアップリンクキャリアの中から、前記フィードバック情報を送信するために使用するアップリンクキャリアを決定し、前記アップリンクキャリアで前記フィードバック情報を送信するように構成される少なくとも１つのプロセッサを具備する無線通信のための装置。
【請求項９】
前記少なくとも１つのプロセッサは、前記複数のダウンリンクキャリアのうちの前記第２のダウンリンクキャリアでダウンリンクグラントを受信するように構成され、前記ダウンリンクグラントは、前記第２のダウンリンクキャリアでの第２のデータ送信に関するものであり、前記フィードバック情報を送信するために使用する前記アップリンクキャリアは、前記ダウンリンクグラントを送信するために使用される前記第２のダウンリンクキャリアとペアにされる、請求項８の装置。
【請求項１０】
コンピュータに、複数のダウンリンクキャリアのうちの第１のダウンリンクキャリアで第１のデータ送信を受信させるコードと、
前記コンピュータに、前記第１のデータ送信に関するフィードバック情報を決定させるコードと、
前記コンピュータに、複数のアップリンクキャリアの中から、前記フィードバック情報を送信するために使用するアップリンクキャリアを決定させるコードと、
前記コンピュータに、前記フィードバック情報を送信するために、指定されるアップリンクキャリアを使用するか、或いは、ペアにされるアップリンクキャリアを使用するかを示すフラグを受信させるコードと、ここにおいて、前記ペアにされるアップリンクキャリアは、前記第１のデータ送信に使用される前記第１のダウンリンクキャリア又はダウンリンクグラントを送信するために使用される第２のダウンリンクキャリアに対応付けられる、
前記コンピュータに、前記フラグに基づいて、前記アップリンクキャリアで前記フィードバック情報を送信させるコードと、
を備えるコンピュータプログラム。
【請求項１１】
ユーザ設備（ＵＥ）に、複数のダウンリンクキャリアのうちの第１のダウンリンクキャリアで第１のデータ送信を送信することと、
フィードバック情報を送信するために、指定されるアップリンクキャリアを使用するか、或いは、ペアにされるアップリンクキャリアを使用するかを示すフラグを送信することと、ここにおいて、前記ペアにされるアップリンクキャリアは、前記第１のデータ送信に使用される前記第１のダウンリンクキャリア又はダウンリンクグラントを送信するために使用する第２のダウンリンクキャリアに対応付けられる、
前記フラグに基づいて、複数のアップリンクキャリアの中から、前記第１のデータ送信に関する前記フィードバック情報を送信するために前記ＵＥによって使用されるアップリンクキャリアを決定することと、
前記ＵＥから、前記アップリンクキャリアで前記フィードバック情報を受信することと、
を具備する無線通信の方法。
【請求項１２】
前記複数のダウンリンクキャリアのうちの前記第２のダウンリンクキャリアでダウンリンクグラントを送信することをさらに具備し、前記ダウンリンクグラントは、前記第２のダウンリンクキャリアでの第２のデータ送信に関するものであり、前記フィードバック情報を送信するために使用される前記アップリンクキャリアは、前記ダウンリンクグラントを送信するために使用される前記第２のダウンリンクキャリアとペアにされる、請求項１１の方法。
【請求項１３】
前記ＵＥに、前記複数のダウンリンクキャリアのうちの前記第２のダウンリンクキャリアで第２のデータ送信を送信することと、
前記ＵＥから、前記アップリンクキャリアで前記第２のデータ送信に関するフィードバック情報を受信することと、をさらに具備する請求項１１の方法。
【請求項１４】
ユーザ設備（ＵＥ）に、複数のダウンリンクキャリアのうちの第１のダウンリンクキャリアで第１のデータ送信を送信する手段と、
フィードバック情報を送信するために、指定されるアップリンクキャリアを使用するか、或いは、ペアにされるアップリンクキャリアを使用するかを示すフラグを送信する手段と、ここにおいて、前記ペアにされるアップリンクキャリアは、前記第１のデータ送信に使用される前記第１のダウンリンクキャリア又はダウンリンクグラントを送信するために使用する第２のダウンリンクキャリアに対応付けられる、
前記フラグに基づいて、複数のアップリンクキャリアの中から、前記第１のデータ送信に関するフィードバック情報を送信するために前記ＵＥによって使用されるアップリンクキャリアを決定する手段と、
前記ＵＥから、前記アップリンクキャリアで前記フィードバック情報を受信する手段と、
を具備する無線通信のための装置。
【請求項１５】
前記複数のダウンリンクキャリアのうちの前記第２のダウンリンクキャリアでダウンリンクグラントを送信する手段をさらに具備し、前記ダウンリンクグラントは、前記第２のダウンリンクキャリアでの第２のデータ送信に関するものであり、前記フィードバック情報を送信するために使用される前記アップリンクキャリアは、前記ダウンリンクグラントを送信するために使用される前記第２のダウンリンクキャリアとペアにされる、請求項１４の装置。
【発明の詳細な説明】
【優先権の主張】
【０００１】
本出願は、本出願の譲受人に譲渡され、参照によってここに組み込まれる、２００９年５月４日に出願された「マルチキャリア動作におけるアップリンクハイブリッド自動再送要求（ＨＡＲＱ）フィードバック（ＵＰＬＩＮＫ  ＨＹＢＲＩＤ  ＡＵＴＯＭＡＴＩＣ  ＲＥＰＥＡＴ  ＲＥＱＵＥＳＴ（ＨＡＲＱ）  ＦＥＥＤＢＡＣＫ  ＩＮ  ＭＵＬＴＩＣＡＲＲＩＥＲ  ＯＰＥＲＡＴＩＯＮ）」と題する米国仮出願第６１／１７５，３８２号の優先権を主張する。
【技術分野】
【０００２】
本開示は、一般に通信に係り、より詳細には、無線通信システムにおいてフィードバック情報を送信する技術に関する。
【背景技術】
【０００３】
無線通信システムは、音声、ビデオ、パケットデータ、メッセージング、ブロードキャストなどの様々な通信コンテンツを提供するために広く展開されている。これらの無線システムは、利用可能なシステムリソースを共有することによって複数のユーザをサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、及びシングルキャリアＦＤＭＡ（ＳＣ−ＦＤＭＡ）システムを含む。
【０００４】
無線システムは、複数のユーザ設備（ＵＥ：user equipment）のための通信をサポートすることができる複数の基地局を含むことができる。ＵＥは、ダウンリンク及びアップリンクによって基地局と通信することができる。ダウンリンク（又はフォワードリンク）は、基地局からＵＥへの通信リンクを指し、アップリンク（又はリバースリンク）は、ＵＥから基地局への通信リンクを指す。
【０００５】
無線システムは、複数のキャリアでの動作をサポートすることができる。キャリアは、通信に使用される周波数帯域を指し、特定の特性に関係していることができる。例えば、キャリアは、同期信号を運ぶことができ、或いは、キャリアでの動作を記述するシステム情報に関係していることができる。キャリアは、チャネル、周波数チャネルなどと呼ばれることもできる。基地局は、ダウンリンク上で１以上のキャリアでデータをＵＥに送信することができる。ＵＥは、ダウンリンクでのデータ送信をサポートするために、アップリンク上でフィードバック情報を送信することができる。アップリンク上でフィードバック情報を効率的に送信することが望まれている。
【発明の概要】
【０００６】
ダウンリンク（又はダウンリンクキャリア）上で複数のキャリアをサポートし、且つ、アップリンク（又はアップリンクキャリア）上で１以上のキャリアをサポートする無線通信システムにおける、フィードバック情報を送信するための技術は、ここに説明される。一態様では、フィードバック情報は、データ送信が送信されるダウンリンクキャリアとペアにされる若しくはペアにされないアップリンクキャリアで送信されることができる。１つの設計では、ＵＥは、複数のダウンリンクキャリアのうちの１つのダウンリンクキャリアでデータ送信を受信することができる。ＵＥは、データ送信に関するフィードバック情報を決定することができる。フィードバック情報は、肯定応答（ＡＣＫ）情報、チャネル品質指標（ＣＱＩ：channel quality indicator）情報、及び／又は他の情報を含むことができる。ＵＥは、複数のアップリンクキャリアの中から、フィードバック情報を送信するために使用するアップリンクキャリアを決定することができる。その後、ＵＥは、アップリンクキャリアでフィードバック情報を送信することができる。
【０００７】
他の態様では、複数のダウンリンクキャリアに関するフィードバック情報は、ＳＣ−ＦＤＭＡを使用して少なくとも１つのアップリンクキャリアで送信されることができる。１つの設計では、ＵＥは、複数のダウンリンクキャリアでデータ送信を受信することができ、データ送信に関するフィードバック情報（例えば、ＡＣＫ情報、ＣＱＩ情報など）を決定することができる。ＵＥは、ＳＣ−ＦＤＭＡを使用して少なくとも１つのアップリンクキャリアでフィードバック情報を送信することができる。以下に説明されるように、ＵＥは、様々な手法でＳＣ−ＦＤＭＡを用いてフィードバック情報を送信することができる。
【０００８】
基地局は、ＵＥによって送信されたフィードバック情報を回復する（recover）ために補足的な処理を行ってもよい。本開示の種々態様及び特徴は、より詳細に以下に説明される。
【図面の簡単な説明】
【０００９】
【図１】図１は、無線通信システムを示す。
【図２】図２は、典型的な送信構造を示す。
【図３】図３は、ＡＣＫ情報を送信するための構造を示す。
【図４Ａ】図４Ａは、１対１のフィードバックマッピングを示す。
【図４Ｂ】図４Ｂは、多対一のフィードバックマッピングを示す。
【図４Ｃ】図４Ｃは、他の多対一のフィードバックマッピングを示す。
【図５】図５は、リラックストＳＣ−ＦＤＭＡを用いたフィードバック情報の送信を示す。
【図６】図６は、ストリクトＳＣ−ＦＤＭＡを用いたフィードバック情報の送信を示す。
【図７】図７は、フィードバック情報を送信するプロセスを示す。
【図８】図８は、フィードバック情報を送信する装置を示す。
【図９】図９は、フィードバック情報を受信するプロセスを示す。
【図１０】図１０は、フィードバック情報を受信する装置を示す。
【図１１】図１１は、フィードバック情報を送信する他のプロセスを示す。
【図１２】図１２は、フィードバック情報を送信する他の装置を示す。
【図１３】図１３は、フィードバック情報を受信する他のプロセスを示す。
【図１４】図１４は、フィードバック情報を受信する他の装置を示す。
【図１５】図１５は、基地局及びＵＥのブロック図を示す。
【詳細な説明】
【００１０】
ここで説明される技術は、ＣＤＭＡ、ＴＤＭＡ、ＦＤＭＡ、ＯＦＤＭＡ、ＳＣ−ＦＤＭＡ及び他のシステムなどの様々な無線通信システムのために使用することができる。「システム」及び「ネットワーク」という用語は、しばしば相互交換可能に使用される。ＣＤＭＡシステムは、ユニバーサルテレストリアルラジオアクセス（ＵＴＲＡ：Universal Terrestrial Radio Access）、ｃｄｍａ２０００などの無線技術を実施することができる。ＵＴＲＡは、広帯域ＣＤＭＡ（ＷＣＤＭＡ）及びＣＤＭＡの他の変形を含む。ｃｄｍａ２０００は、ＩＳ−２０００、ＩＳ−９５及びＩＳ−８５６標準をカバーする。ＴＤＭＡシステムは、グローバルシステムフォーモバイルコミュニケーションズ（ＧＳＭ（登録商標）：Global system for Mobile communications）などの無線技術を実施することができる。ＯＦＤＭＡシステムは、エボルブドＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（Flash OFDM）（登録商標）などの無線技術を実施することができる。ＵＴＲＡ及びＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）及びＬＴＥアドバンスト（ＬＴＥ−Ａ：LTE-Advanced）は、ダウンリンクではＯＦＤＭＡを使用し且つアップリンクではＳＣ−ＦＤＭＡを使用するＥ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、及びＧＳＭは、「第３世代パートナーシッププロジェクト」（３ＧＰＰ）と称される機関からの文書に説明されている。ｃｄｍａ２０００及びＵＭＢは、「第３世代パートナーシッププロジェクト２」（３ＧＰＰ２）と称される機関からの文書に説明されている。ここで説明される技術は、上述したシステム及び無線技術、並びに、他のシステム及び無線技術のために使用することができる。明瞭にするために、技術の特定の態様は、ＬＴＥに関して以下に説明され、ＬＴＥ用語は、以下の説明において使用される。
【００１１】
図１は、ＬＴＥシステム又は他のシステムであり得る無線通信システム１００を示す。システム１００は、複数のエボルブドノードＢ（ｅＮＢ：evolved Node B）１１０及び他のネットワークエンティティ（network entity）を含むことができる。ｅＮＢは、ＵＥと通信するエンティティ（entity）であって、ノードＢ、基地局、アクセスポイントなどと呼ばれることもできる。ＵＥ１２０は、システムの全体にわたって分散されることができ、各ＵＥは、固定式（stationary）又は移動式（mobile）のものであり得る。ＵＥは、移動局、端末、アクセス端末、加入者ユニット、局などと呼ばれることもできる。ＵＥは、携帯電話、携帯情報端末（ＰＤＡ）、無線モデム、無線通信装置、ハンドヘルド装置、ラップトップコンピュータ、コードレス電話機、ワイヤレスローカルループ（ＷＬＬ）局、スマートフォン、ネットブック、スマートブックなどであり得る。 
このシステムは、データ送信の信頼性を向上するために、ハイブリッド自動再送信（ＨＡＲＱ：hybrid automatic retransmission）をサポートすることができる。ＨＡＲＱにおいては、送信機は、トランスポートブロック（transport block）（又はパケット）の送信を送信することができ、トランスポートブロックが受信機によって正確に復号されるまで、或いは、最大数の送信が送信されるまで、或いは、何らかの他の終了条件に遭遇するまで、必要に応じて１以上の追加の送信を送信することができる。トランスポートブロックの送信の各々の後に、受信機は、トランスポートブロックが正確に復号された場合には肯定応答（ＡＣＫ：acknowledgement）を送信することができ、或いは、トランスポートブロックが誤って復号された場合には否定応答（ＮＡＣＫ：negative acknowledgement）を送信することができる。送信機は、ＮＡＣＫが受信された場合にはトランスポートブロックの他の送信を送信し、ＡＣＫが受信された場合にはトランスポートブロックの送信を終了することができる。ＡＣＫ情報は、ＡＣＫ及び／又はＮＡＣＫを含むことができ、ＨＡＲＱフィードバックと呼ばれることもできる。
【００１２】
図２は、ダウンリンク及びアップリンクに使用されることができる典型的な送信構造２００を示す。各リンクの送信タイムライン（transmission timeline）は、サブフレームの単位に分割されることができる。サブフレームは、所定の継続期間（duration）、例えば、１ミリセカンド（ｍｓ）を有することができ、２つのスロットに分割されることができる。各スロットは、拡張サイクリックプリフィックス（extended cyclic prefix）に関して６つのシンボル期間を含み、或いは、通常のサイクリックプリフィックス（normal cyclic prefix）に関して７つのシンボル期間を含むことができる。
【００１３】
ＬＴＥは、ダウンリンク上で直交周波数分割多重（ＯＦＤＭ）を利用し、アップリンク上でシングルキャリア周波数分割多重（ＳＣ−ＦＤＭ）を利用する。ＯＦＤＭ及びＳＣ−ＦＤＭは、周波数帯域を、トーン、ビンなどと一般に呼ばれる複数の（ＮＦＦＴ個の）直交サブキャリアに分割する。各サブキャリアは、データで変調されることができる。一般に、変調シンボルは、ＯＦＤＭでは周波数領域で送信され、ＳＣ−ＦＤＭでは時間領域で送信される。隣接するサブキャリア間の間隔は、固定されることができ、サブキャリアの総数（ＮＦＦＴ）は、システムの帯域幅に依存することができる。例えば、ＮＦＦＴは、１．２５、２．５、５、１０、又は２０ＭＨｚのシステムの帯域幅ではそれぞれ１２８、２５６、５１２、１０２４、又は２０４８に等しくなり得る。
【００１４】
ダウンリンク及びアップリンクの各々では、複数のリソースブロックは、総計ＮＦＦＴ個のサブキャリアを備えたスロットの各々において定義されることができる。各リソースブロックは、１つのスロットにＫ個のサブキャリア（例えば、Ｋ＝１２個のサブキャリア）を含むことができる。各スロットにおけるリソースブロックの数は、システムの帯域幅に依存することができ、６から１１０の間であり得る。アップリンク上では、利用可能なリソースブロックは、データ部分（data section）及び制御部分（control section）に分割されることができる。制御部分は、（図２に示されるように）システムの帯域幅の２つの端に形成されることができ、設定可能なサイズを有することができる。データ部分は、制御部分に含まれないリソースブロックを全て含むことができる。図２の設計では、データ部分は、連続したサブキャリアを含むこととなる。
【００１５】
ＵＥは、ｅＮＢに制御情報を送信するために、制御部分のリソースブロックを割り当てられることができる。ＵＥは、さらに、データ及び場合によっては制御情報をｅＮＢに送信するために、データ部分のリソースブロックを割り当てられることができる。制御情報は、フィードバック情報、スケジューリング要求などを含むことができる。フィードバック情報は、ＡＣＫ情報、ＣＱＩ情報などを含むことができる。ＵＥは、いかなる瞬間でもデータ及び／又は制御情報を送信することができる。さらに、ＵＥは、いかなる瞬間でもＡＣＫ情報、ＣＱＩ情報、及び／又は他の制御情報を送信することができる。ＵＥは、データ部分のリソースブロックによって物理アップリンク共有チャネル（ＰＵＳＣＨ：Physical Uplink Shared Channel）で、データだけを、或いは、データ及び制御情報の両方を送信することができる。ＵＥは、制御部分のリソースブロックによって物理アップリンク制御チャネル（ＰＵＣＣＨ：Physical Uplink Control Channel）で、制御情報だけを送信することができる。異なるタイプの制御情報は、シングルキャリアの波形を維持するために、組み合わされて一緒に送信されることができる。例えば、ＡＣＫ情報は、ＡＣＫリソースで単独で送信されてもよく、或いは、ＣＱＩリソースでＣＱＩ情報とともに送信されてもよい。
【００１６】
複数のＰＵＣＣＨフォーマットは、例えば、テーブル１に示されるように、サポートされることができる。ＰＵＣＣＨフォーマット１ａ及び１ｂは、１つの変調シンボル中に１又は２ビット（例えば、ＡＣＫ情報）を送信するために使用されることができる。ＰＵＣＣＨフォーマット２は、１０の変調シンボル中に２０ビット（例えば、ＣＱＩ又はＡＣＫ情報）を送信するために使用されることができる。ＰＵＣＣＨフォーマット２ａ及び２ｂは、１１の変調シンボル中に２１又は２２ビット（例えば、ＡＣＫ及びＣＱＩ情報の両方）を送信するために使用されることができる。
【表１】
0005596130.tif 000002
【００１７】
図３は、各スロットが７つのシンボル期間を含む場合において、ＰＵＣＣＨでＡＣＫ情報を送信するための構造３００を示す。ＡＣＫ構造３００では、リソースブロックは、ＡＣＫ情報のための４つのシンボル期間及び参照信号のための３つのシンボル期間を含む。左スロット（left slot）では、ＡＣＫ情報は、シンボル期間０、１、５及び６において送信されることができ、参照信号は、シンボル期間２、３及び４において送信されることができる。右スロット（right slot）では、ＡＣＫ情報は、シンボル期間７、８、１２及び１３において送信されることができ、参照信号は、シンボル期間９、１０及び１１において送信されることができる。ＡＣＫ情報及び参照信号はまた、１対のリソースブロックによって他の方法で送信されてもよい。
【００１８】
ＵＥは、以下のようにＡＣＫ情報を処理することができる。ＵＥは、ＢＰＳＫ又はＱＰＳＫに基づいて、１又は２ビットのＡＣＫ情報を変調シンボルｄ（０）にマッピングする（map）ことができる。その後、ＵＥは、以下のように、変調シンボルで参照信号系列を変調して拡散することができる。
【数１】
0005596130.tif 000003
【００１９】
式（１）に示されるように、参照信号系列は、変調された系列を得るために、変調シンボルｄ（０）で変調されることができる。その後、変調された系列は、Ｎ個のデータ系列を得るために、直交系列ｗ（ｎ）で拡散されることができる。ここで、図３ではＮ＝４である。Ｎのデータ系列は、例えば図３に示されるように、各リソースブロック中のＮ個のシンボル期間中に送信されることができる。
【００２０】
ＵＥは、以下のように、ＡＣＫ情報のための参照信号を生成することができる。
【数２】
0005596130.tif 000004
【００２１】
式（２）に示されるように、参照信号系列は、Ｌ個のパイロット系列を得るために、直交系列ｗ（ｉ）で拡散されることができる。ここで、図３ではＬ＝３である。Ｌ個のパイロット系列は、例えば図３に示されるように、各リソースブロック中のＬ個のシンボル期間中に送信されることができる。
【００２２】
複数の参照信号系列は、基本系列の異なる循環シフト（cyclic shift）に基づいて定義されることができる。基本系列は、ザドフ−チュー（Zadoff-Chu）系列、擬似ランダム（pseudo-random）系列などであり得る。Ｋ以下の異なる参照信号系列は、基本系列のＫ以下の異なる循環シフトによって得ることができる。ここで、Ｋは、基本系列の長さである。Ｋ個の参照信号系列のサブセット（subset）だけが使用のために選択されることができ、選択された参照信号系列は、それらの循環シフトにおいてできる限り間隔をあけられることができる。参照信号系列は、基本系列の異なる循環シフトと呼ばれることもできる。
【００２３】
このシステムは、ダウンリンク上で複数のキャリアを用い且つアップリンク上で１以上のキャリアを用いるマルチキャリア動作をサポートすることができる。ダウンリンクに使用されるキャリアは、ダウンリンクキャリアと呼ばれることもでき、アップリンクに使用されるキャリアは、アップリンクキャリアと呼ばれることもできる。ｅＮＢは、１以上のダウンリンクキャリアでデータ送信をＵＥに送信することができる。ＵＥは、１以上のアップリンクキャリアでフィードバック情報をｅＮＢに送信することができる。明瞭にするために、下記の説明の大部分は、フィードバック情報がＨＡＲＱフィードバックを含む場合に関するものである。データ送信及びＨＡＲＱフィードバックは、様々な方法で送信されることができる。
【００２４】
図４Ａは、対称ダウンリンク／アップリンクキャリア形態（configuration）を備える１対１のＨＡＲＱフィードバックマッピングの設計を示す。この設計では、各ダウンリンク（ＤＬ）キャリアは、対応するアップリンク（ＵＬ）キャリアとペアにされる（paired）。ｅＮＢは、特定のダウンリンクキャリア上の物理ダウンリンク共有チャネル（ＰＤＳＣＨ：Physical Downlink Shared Channel）でデータ送信をＵＥに送信することができる。ＵＥは、対応するアップリンクキャリアでＨＡＲＱフィードバックをｅＮＢに送信することができる。
【００２５】
図４Ａに示される例では、ｅＮＢは、３つのダウンリンクキャリア１、２及び３でデータ送信をＵＥに送信することができる。ｅＮＢはまた、３つのダウンリンクキャリアでのデータ送信に関する３つのダウンリンクグラント（downlink grant）を送信することができ、各ダウンリンクキャリアでのデータ送信に関して１つのダウンリンクグラントを送信する。各ダウンリンクグラントは、ＵＥへのデータ送信に使用される関連のある（pertinent）パラメータ（例えば、変調及び符号化スキーム、リソースブロックなど）を含む。ＵＥは、各ダウンリンクキャリアでデータ送信を受信してそのデータ送信に関するダウンリンクグラントに基づいて復号することができ、対応するアップリンクキャリアでＨＡＲＱフィードバックを送信することができる。
【００２６】
１対１のＨＡＲＱフィードバックマッピングでは、１つのダウンリンクキャリアに関するＨＡＲＱフィードバックは、１つのアップリンクキャリアで送信されることができる。ダウンリンクグラントは、データ送信に使用されるダウンリンクキャリアで、或いは、異なるダウンリンクキャリアで送信されることができる。ある設計では、ＨＡＲＱフィードバックは、データ送信がどこで送信されるかにかかわらず、ダウンリンクグラントが送信されるダウンリンクキャリアとペアにされるアップリンクキャリアで送信されることができる。その後、ＨＡＲＱフィードバックに使用されたアップリンクキャリアは、ダウンリンクグラントが送信されたダウンリンクキャリアとペアにされることができる。さらに、ＨＡＲＱフィードバックは、後に説明するように、ダウンリンクグラントを送信するために使用されるダウンリンクリソースに基づいて識別されるＡＣＫリソースで送信されることができる。
【００２７】
図４Ｂは、非対称ダウンリンク／アップリンクキャリア形態を備える多対１のＨＡＲＱフィードバックマッピングの設計を示す。この設計では、全てのダウンリンクキャリアは、１つのアップリンクキャリアとペアにされることができる。ｅＮＢは、１以上のダウンリンクキャリアでデータ送信をＵＥに送信することができる。ＵＥは、アップリンクキャリアでＨＡＲＱフィードバックをｅＮＢに送信することができる。
【００２８】
図４Ｃは、対称ダウンリンク／アップリンクキャリア形態及びクロスキャリア制御動作（cross-carrier control operation）を備える多対１のＨＡＲＱフィードバックマッピングの設計を示す。各ダウンリンクキャリアは、対応するアップリンクキャリアとペアにされることができる。ｅＮＢは、特定のダウンリンクキャリアでデータ送信をＵＥに送信することができる。ＵＥは、このダウンリンクキャリアとペアにされる若しくはペアにされないアップリンクキャリアでＨＡＲＱフィードバックを送信することができる。
【００２９】
図４Ｃに示される例では、ｅＮＢは、３つのダウンリンクキャリア１、２及び３でデータ送信をＵＥに送信することができる。ｅＮＢはまた、３つのダウンリンクキャリアでのデータ送信に関する３つのパーキャリアダウンリンクグラント（per-carrier downlink grant）又は１つのマルチキャリアダウンリンクグラントを送信することができる。パーキャリアダウンリンクグラントは、１つのダウンリンクキャリアでのデータ送信に関連のあるパラメータを運ぶ（convey）ことができる。マルチキャリアダウンリンクグラントは、複数のダウンリンクキャリアでのデータ送信に関連のあるパラメータを運ぶことができる。ＵＥは、全てのダウンリンクキャリアでデータ送信を受信して復号し、指定されるアップリンクキャリアでＨＡＲＱフィードバックを送信することができる。
【００３０】
一般に、（例えば、図４Ｂ及び４Ｃに示されるような）多対１のＨＡＲＱフィードバックマッピングでは、複数のダウンリンクキャリアに関するＨＡＲＱフィードバックは、１つのアップリンクキャリアで送信されることができる。所定のダウンリンクキャリアに関するＨＡＲＱフィードバックは、ダウンリンクキャリアとペアにされる若しくはペアにされないアップリンクキャリアで送信されることができる。多対１のＨＡＲＱフィードバックマッピングは、（ｉ）ダウンリンクキャリアの数がアップリンクキャリアの数より大きい非対称ダウンリンク／アップリンクキャリア形態、及び／又は（ｉｉ）ダウンリンク／アップリンクキャリア形態にかかわらずクロスキャリア制御動作のために使用されることができる。
【００３１】
ｅＮＢは、各ダウンリンクキャリアでダウンリンク制御情報（ＤＣＩ）のゼロ以上の（zero or more）送信を送信することができる。各ＤＣＩは、サブフレームの最初のＭ個のシンボル期間中に送信されることができる物理ダウンリンク制御チャネル（ＰＤＣＣＨ：Physical Downlink Control Channel）のための１以上の制御チャネル要素（ＣＣＥ：Control Channel Element）で送信されることができる。ここで、Ｍは１、２又は３であり得る。各ＣＣＥは、９のリソース要素群（ＲＥＧ：resource element group）を含むことができ、各ＲＥＧは、４のリソース要素（resource element）を含むことができる。各リソース要素は、１つのシンボル期間中の１つのサブキャリアに対応し、１つの変調シンボルを送信するために使用されることができる。ＤＣＩは、ＵＥのためのパーキャリアダウンリンクグラント又はマルチキャリアダウンリンクグラントを運ぶことができる。ＵＥは、以下に説明するように、ＵＥのためのダウンリンクグラントを運ぶＤＣＩを送信するために使用される最初の（first）ＣＣＥに基づいて決定されるＡＣＫリソースでＨＡＲＱフィードバックを送信することができる。
【００３２】
一態様では、ＨＡＲＱフィードバックは、データ送信が送信されるダウンリンクキャリアとペアにされる若しくはペアにされないアップリンクキャリアで送信されることができる。スキームは、マルチキャリア動作において、所定のダウンリンクキャリアでのデータ送信に関するＨＡＲＱフィードバックを送信するためにどのアップリンクキャリアを使用するかを決定するために使用されることができる。
【００３３】
第１の設計では、ＨＡＲＱフィードバックは、例えば図４Ｂ及び４Ｃに示されるような、多対１のＨＡＲＱフィードバックマッピングに基づいて、指定されるアップリンクキャリアで送信されることができる。指定されるアップリンクキャリアは、様々な手法で伝達されることができる。１つの設計では、複数のダウンリンクキャリアでのデータ送信に関するＤＣＩは、例えば図４Ｃに示されるように、１つのダウンリンクキャリアで送信されることができる。その後、全てのダウンリンクキャリアに関するＨＡＲＱフィードバックは、ＤＣＩを送信するために使用されたダウンリンクキャリアとペアにされるアップリンクキャリアで送信されることができる。他の設計では、ＨＡＲＱフィードバックを送信するために使用される指定されるアップリンクキャリアは、例えば無線リソース制御（ＲＲＣ：Radio Resource Control）シグナリング又はＤＣＩ又は他のメカニズムによって、特定のＵＥに知らされる（signaled）ことができる。
【００３４】
第２の設計では、ＨＡＲＱフィードバックは、アップリンクダウンリンクキャリアペアリング（uplink-downlink carrier paring）又は指定されるアップリンクキャリアに基づいて送信されることができる。どのＨＡＲＱフィードバックマッピングを使用するかは、設定可能とすることができ、様々な手法で伝達されることができる。１つの設計では、フラグは、アップリンクダウンリンクキャリアペアリング及び指定されるアップリンクキャリアのいずれを使用してＨＡＲＱフィードバックを送信するかを示すために使用されることができる。フラグは、（ｉ）ＨＡＲＱフィードバックがダウンリンクキャリアとペアにされるアップリンクキャリアで送信されるべきであることを示す第１の値（例えば、０）、又は（ｉｉ）ＨＡＲＱフィードバックが指定されたアップリンクキャリアで送信されるべきであることを示す第２の値（例えば、１）に設定されることができる。
【００３５】
フラグは、様々な手法で送信されることができる。１つの設計では、フラグは、全てのＵＥにシステム情報中で送信されることができる。他の設計では、フラグは、例えばＲＲＣシグナリング又はＤＣＩ又は他のメカニズムによって、特定のＵＥに送信されることができる。フラグをサポートする新規のＵＥは、フラグによって示されるように、ペアにされるアップリンクキャリア又は指定されるアップリンクキャリアでＨＡＲＱフィードバックを送信することができる。フラグをサポートしないレガシーＵＥ（legacy UE）は、ペアにされるアップリンクキャリアでＨＡＲＱフィードバックを送信することができる。
【００３６】
他の態様では、複数のダウンリンクキャリアに関するＨＡＲＱフィードバック（マルチキャリアＨＡＲＱフィードバックとも呼ばれる。）は、ＳＣ−ＦＤＭＡを使用して少なくとも１つのアップリンクキャリアで送信されることができる。ＳＣ−ＦＤＭＡにおいては、変調シンボルは、周波数領域シンボルを得るために、離散型フーリエ変換（ＤＦＴ）によって時間領域から周波数領域に変換されることができる。周波数領域シンボルは、送信に使用されるサブキャリアにマッピングされることができ、ゼロの信号値を備えたゼロシンボルが送信に使用されないサブキャリアにマッピングされることができる。その後、マッピングされたシンボルは、ＳＣ−ＦＤＭＡシンボルのための時間領域サンプルを得るために、逆高速フーリエ変換（ＩＦＦＴ）によって周波数領域から時間領域に変換されることができる。このように、ＳＣ−ＦＤＭＡは、変調シンボルが時間領域で送信され、且つ、サブキャリアにマッピングする前にＤＦＴによって周波数領域に変換されることにより特徴づけられることができる。ＳＣ−ＦＤＭＡは、変調シンボルが周波数領域で送信され、且つ、ＤＦＴを施すことなくサブキャリアに直接にマッピングされることにより特徴づけられることができるＯＦＤＭとは異なる。ＨＡＲＱフィードバックは、様々な手法でＳＣ−ＦＤＭＡにより送信されることができる。
【００３７】
１つの設計では、複数のダウンリンクキャリアに関するＨＡＲＱフィードバックは、ＳＣ−ＦＤＭＡの１つのバージョンであり得るリラックストＳＣ−ＦＤＭＡ（relaxed SC-FDMA）に基づいてアップリンクキャリアで送信されることができる。リラックストＳＣ−ＦＤＭＡにおいては、異なるダウンリンクキャリアに関するＨＡＲＱフィードバックは、シングルキャリアの波形がアップリンク送信に関して維持されなくてもよいように、異なるＡＣＫリソース上で送信されることができる。アップリンク送信が連続したサブキャリアで送信される場合、且つ、１つの参照信号配列が周波数全域に拡散するために使用される場合、シングルキャリアの波形は維持されることができる。
【００３８】
リラックストＳＣ−ＦＤＭＡの第１の設計では、異なるダウンリンクキャリアは、アップリンクキャリアの異なる周波数領域にマッピングされることができ、ダウンリンクキャリアの各々は１つの周波数領域にマッピングされる。各周波数領域は、１以上のリソースブロックの異なるセットに対応することができる。異なる周波数領域は、データ領域と制御領域との間の境界であり得る、基準周波数とは異なる周波数オフセットによって定義されることができる。
【００３９】
パーキャリアダウンリンクグラントは、複数のダウンリンクキャリアでのデータ送信に関して送信されることができる。この場合、各ダウンリンクキャリアでのデータ送信に関するＨＡＲＱフィードバックは、対応するパーキャリアダウンリンクグラントが送信される最初のＣＣＥに基づいて決定されるＡＣＫリソースで送信されることができる。
【００４０】
マルチキャリアダウンリンクグラントは、同様に、複数のダウンリンクキャリアでのデータ送信に関して送信されることができる。この場合、ＨＡＲＱフィードバックは、様々な手法で送信されることができる。１つの設計では、各ダウンリンクキャリアに関するＨＡＲＱフィードバックは、（ｉ）マルチキャリアダウンリンクグラントを運ぶＤＣＩが送信される最初のＣＣＥと、（ｉｉ）データ送信が送信されるダウンリンクキャリアと、に基づいて決定されるＡＣＫリソースで送信されることができる。例えば、最初のＣＣＥは、直交系列及び参照信号系列を決定することができ、データ送信が送信されるダウンリンクキャリアは、周波数領域を決定することができる。この設計では、マルチキャリアダウンリンクグラントを運ぶＤＣＩに使用される最初のＣＣＥは、複数のダウンリンクグラントが同じＡＣＫリソースにマッピングされるのを回避するために、他のＵＥのための他のダウンリンクグラントを運ぶＤＣＩのために、他のダウンリンクキャリアでの最初のＣＣＥとして再使用されるべきでない。他の設計では、各ダウンリンクキャリアに関するＨＡＲＱフィードバックは、マルチキャリアダウンリンクグラントを運ぶＤＣＩが送信されるＣＣＥに基づいて決定されるＡＣＫリソースで送信されることができる。マルチキャリアダウンリンクグラントを運ぶＤＣＩは、Ｑ個のダウンリンクキャリアでのデータ送信に関するものであることができる。ここで、Ｑは１以上である。Ｑ個のダウンリンクキャリアに関するＨＡＲＱフィードバックは、マルチキャリアダウンリンクグラントを運ぶＤＣＩが送信される最初のＣＣＥから始まるＱ個のＣＣＥに対応するＱ個のＡＣＫリソースで送信されることができる。各ＣＣＥは、異なるＡＣＫリソースにマッピングされることができる。Ｑ個のＣＣＥは、マルチキャリアＨＡＲＱフィードバックのためにＡＣＫリソースの十分な数を保証するために、取っておくことができ、或いは、マルチキャリアダウンリンクグラントを運ぶＤＣＩを送信するのに使用されることができる。
【００４１】
リラックストＳＣ−ＦＤＭＡの第２の設計では、アップリンクキャリアにおける共有の周波数領域は、複数のダウンリンクキャリアに関するＨＡＲＱフィードバックを送信するために使用されることができる。パーキャリアダウンリンクグラントは、複数のダウンリンクキャリアでのデータ送信に関して送信されることができる。各ダウンリンクキャリアでのデータ送信に関するＨＡＲＱフィードバックは、そのダウンリンクキャリアでのデータ送信に関するダウンリンクグラントを運ぶＤＣＩに使用される最初のＣＣＥに基づいて決定されるＡＣＫリソース上で送信されることができる。１つのキャリアでＤＣＩに使用される最初のＣＣＥは、複数のダウンリンクグラントが同じＡＣＫリソースにマッピングするのを回避するために、他のキャリアでＤＣＩのための最初のＣＣＥとして再使用されるべきでない。スケジューラは、適切なＣＣＥでＤＣＩを送信することによりこの制限を満たすことができる。或いは、マルチキャリアダウンリンクグラントは、複数の（Ｑ個の）ダウンリンクキャリアでのデータ送信に関して送信されることができる。この場合、Ｑ個のＣＣＥは、Ｑ個のダウンリンクキャリアに関するＨＡＲＱフィードバックにＱ個のＡＣＫリソースを供給するために、取っておくことができ、或いは、マルチキャリアダウンリンクグラントを運ぶＤＣＩのために使用されることができる。
【００４２】
図５は、アップリンクキャリアの異なる周波数領域を使用してリラックストＳＣ−ＦＤＭＡによって複数のダウンリンクキャリアに関するＨＡＲＱフィードバックを送信する設計を示す。図５に示される例では、３つのダウンリンクキャリアは、ダウンリンクグラント及びデータ送信を送信するために使用されることができ、１つのアップリンクキャリアは、ＨＡＲＱフィードバックを送信するために使用されることができる。各ダウンリンクキャリアは、１から１２のインデックスを備えた１２個のＣＣＥを含むことができる。従って、３つのダウンリンクキャリアは、３６個のＡＣＫインデックスにマッピングされ得る合計３６個のＣＣＥを含むことができる。
【００４３】
各ダウンリンクキャリアの各ＣＣＥは、サブフレームの左スロット中の１つのＡＣＫリソース、及び右スロット中の１つのＡＣＫリソースにマッピングされることができる。各ＡＣＫリソースは、Ｗｘとして表示される特定の直交系列、ＣＳｙとして表示される特定の参照信号系列、及びＲＢｚとして表示される特定のリソースブロックに対応付けられることができる。ここで、ｘ、ｙ、及びｚはそれぞれ、直交系列、参照信号系列、及びリソースブロックに関するインデックスであり得る。従って、各ＡＣＫリソースは、（Ｗｘ、ＣＳｙ、ＲＢｚ）タプル（tuple）によって識別されることができる。図５に示される例では、Ｒｅｓ１からＲｅｓ１２として示される１２のＡＣＫリソースは、４つの参照信号系列ＣＳ１からＣＳ４、及び３つの直交系列Ｗ１からＷ３を備えた所定のリソースブロックに関して定義されることができる。４つの参照信号系列は、基本系列の４つの異なる（例えば、１つのゼロ及び３つのノンゼロ）循環シフトに対応することができる。３つの直交系列は、図３に示されるような、ＨＡＲＱフィードバックが４つのシンボル期間中に送信される場合において、長さが４である異なるウォルシュ系列であり得る。
【００４４】
合計３６個のＡＣＫリソースは、各スロットにおいて、３つのリソースブロックＲＢ１、ＲＢ２及びＲＢ３で定義されることができる。ダウンリンクキャリア１に関する１２個のＣＣＥは、リソースブロックＲＢ１中の１２個のＡＣＫリソースにマッピングされることができる。ダウンリンクキャリア２に関する１２個のＣＣＥは、リソースブロックＲＢ２中の１２個のＡＣＫリソースにマッピングされることができる。ダウンリンクキャリア３に関する１２個のＣＣＥは、リソースブロックＲＢ３中の１２個のＡＣＫリソースにマッピングされることができる。各ＡＣＫリソースにマッピングされたＣＣＥは、図５に示される。例えば、ダウンリンクキャリア１に関するＣＣＥ１は、リソースブロック１において左スロット中のＡＣＫリソースＲｅｓ１、及び右スロット中のＡＣＫリソースＲｅｓ７にマッピングされることができる。
【００４５】
図５は、各ダウンリンクキャリアに関する１２個のＣＣＥが１から１２のインデックスを割り当てられている設計を示す。他の設計では、同じアップリンクキャリアにマッピングされる全てのダウンリンクキャリアに関するＣＣＥは、これら全てのダウンリンクキャリアにわたる共通ＣＣＥナンバリングに基づいて固有のインデックスを割り当てられることができる。例えば、図５の３つのダウンリンクキャリアが同じアップリンクキャリアにマッピングされる場合、ダウンリンクキャリア１に関する１２個のＣＣＥは、インデックス１から１２を割り当てられることができ、ダウンリンクキャリア２に関する１２個のＣＣＥは、インデックス１３から２４を割り当てられることができ、ダウンリンクキャリア３に関する１２個のＣＣＥは、インデックス２５から３６を割り当てられることができる。共通ＣＣＥナンバリングの使用は、複数のダウンリンクキャリアに関するＨＡＲＱフィードバックが同じアップリンクキャリアにマッピングされるコリジョン（collision）を回避することができる。
【００４６】
図５に示される例では、５つのパーキャリアダウンリンクグラントは、ダウンリンクキャリア１、２及び３でのデータ送信に関して送信される。各ダウンリンクグラントは、１つのダウンリンクキャリアの１以上のＣＣＥでＤＣＩ中で送信される。各ダウンリンクキャリアでのデータ送信に関するＨＡＲＱフィードバックは、データ送信に関するダウンリンクグラントを運ぶＤＣＩに使用される最初のＣＣＥに基づいて決定されるＡＣＫリソース上で送信される。
【００４７】
例えば、ダウンリンクグラント１を運ぶＤＣＩは、ダウンリンクキャリア１のＣＣＥ２及び３中で送信される。ダウンリンクグラント１は、ダウンリンクキャリア１でのデータ送信に関するパラメータを伝達する。このデータ送信に関するＨＡＲＱフィードバックは、ダウンリンクグラント１を運ぶＤＣＩに使用される最初のＣＣＥであるＣＣＥ２にマッピングされたＡＣＫリソースで送信される。特に、図５に示されるように、ＨＡＲＱフィードバックは、左スロット中のＡＣＫリソースＲｅｓ４、及び右スロット中のＡＣＫリソースＲｅｓ４で送信される。ダウンリンクグラント２を運ぶＤＣＩは、ダウンリンクキャリア１のＣＣＥ５で送信され、ダウンリンクグラント２は、ダウンリンクキャリア２でのデータ送信に関するパラメータを伝達する。このデータ送信に関するＨＡＲＱフィードバックは、ダウンリンクグラント２を運ぶＤＣＩに使用される最初のＣＣＥに対応するＣＣＥ５にマッピングされる、左スロット中のＡＣＫリソースＲｅｓ２、及び右スロット中のＡＣＫリソースＲｅｓ５で送信される。他のデータ送信に関するＨＡＲＱフィードバック及びダウンリンクグラントは、図５に示される。
【００４８】
他の設計では、複数のダウンリンクキャリアに関するＨＡＲＱフィードバックは、ＳＣ−ＦＤＭＡの他のバージョンであり得るストリクトＳＣ−ＦＤＭＡ（strict SC-FDMA）に基づいてアップリンクキャリアで送信されることができる。ストリクトＳＣ−ＦＤＭＡにおいては、異なるダウンリンクキャリアに関するＨＡＲＱフィードバックは、シングルキャリアの波形がアップリンク送信のために維持されることができるように送信されることができる。
【００４９】
ストリクトＳＣ−ＦＤＭＡの第１の設計では、複数のダウンリンクキャリアに関するＨＡＲＱフィードバックは、ＡＣＫバンドリング（bundling）で送信されることができる。ｅＮＢは、複数のダウンリンクキャリアでデータ送信をＵＥに送信することができる。ＵＥは、各ダウンリンクキャリアでのデータ送信を復号し、データ送信に関するＡＣＫ又はＮＡＣＫを得ることができる。ＡＣＫバンドリングでは、全てのデータ送信に関するＡＣＫ及び／又はＮＡＣＫは、バンドルされた（bundled）ＡＣＫ又はＮＡＣＫとも呼ばれる単一のＡＣＫ又はＮＡＣＫを得るために、（例えば論理ＡＮＤ演算子によって）組み合わせられることができる。特に、ＡＣＫが全てのデータ送信に対して得られる場合にバンドルされたＡＣＫが全てのデータ送信のために生成されることができ、ＮＡＣＫが任意のデータ送信に対して得られる場合には、バンドルされたＮＡＣＫが生成されてもよい。ＵＥは、１つのＡＣＫリソースで、バンドルされたＡＣＫ又はＮＡＣＫを含むＨＡＲＱフィードバックを送信することができる。このＡＣＫリソースは、特定のルールに基づいて、例えば、ＵＥのためのダウンリンクグラントを運ぶＤＣＩに使用される最下の（lowest）ダウンリンクキャリアの最初のＣＣＥに基づいて、決定されることができる。ｅＮＢは、バンドルされたＮＡＣＫが受信された場合に全てのデータ送信を再送信し、バンドルされたＡＣＫが受信された場合に全てのデータ送信を終了することができる。
【００５０】
ストリクトＳＣ−ＦＤＭＡの第２の設計では、複数のダウンリンクキャリアに関するＨＡＲＱフィードバックは、テーブル１に示されるＰＵＣＣＨフォーマット２を使用して送信されることができる。ＰＵＣＣＨフォーマット２では、２０以下のビットは、１つのサブフレーム中の１対のリソースブロック上で送信されることができる。これは、１０個のデータ系列を生成するために、２０ビットを１０個のＱＰＳＫ変調シンボルにマッピングし、１０個の変調シンボルの各々で参照信号系列を変調することにより、達成されることができる。５個のデータ系列は、第１のリソースブロックの５個のシンボル期間中に送信されることができ、残りの５のデータ系列は、第２のリソースブロックの５個のシンボル期間中に送信されることができる。２０ビットは、ＨＡＲＱフィードバックに関して複数のＡＣＫ／ＮＡＣＫを提供することができる。
【００５１】
１つの設計では、制御部分中の個々の周波数領域は、ＰＵＣＣＨフォーマット２を使用してＨＡＲＱフィードバックを送信するために使用されることができる。この個々の周波数領域は、ＨＡＲＱフィードバックに通常使用される周波数領域又はＵＥ特定周波数位置（UE-specific frequency location）のいずれかからオフセットによって指定されることができる。この個々の周波数領域は、ＲＲＣシグナリング又は他の手段によってＵＥに伝達されることができる。いくつかのＵＥは、オーバーヘッドを低減するために、ＰＵＣＣＨフォーマット２を使用してＨＡＲＱフィードバックを送信するために、同じ周波数領域を共有することができる。これらのＵＥは、複数のＵＥがＨＡＲＱフィードバックに関して同じ周波数領域を使用することを回避するために、同時にダウンリンクでのデータ送信に関してスケジュールされない。ＵＥは、送信するＡＣＫ／ＮＡＣＫの数に応じて、（ｉ）ＰＵＣＣＨフォーマット１ａ又は１ｂを使用する通常のＡＣＫリソースで、或いは、（ｉｉ）ＰＵＣＣＨフォーマット２を使用する個別の周波数領域で、ＨＡＲＱフィードバックを送信することができる。
【００５２】
ストリクトＳＣ−ＦＤＭＡの第３の設計では、複数のダウンリンクキャリアに関するＨＡＲＱフィードバックは、テーブル１に示されるＰＵＣＣＨフォーマット１ｂを使用して送信されることができる。ＰＵＣＣＨフォーマット１ｂでは、図３に関して上述されるように、２ビットは、１つの参照信号系列及び１つの直交系列を用いて１対のリソースブロック上で送信されることができる。２を超えるビットは、様々な手法で送信されることができる。
【００５３】
１つの設計では、２を超えるビットは、直交拡散（orthogonal spreading）を除去する（remove）ことによりＰＵＣＣＨフォーマット１ｂを使用して送信されることができる。この設計では、ＵＥは、ＨＡＲＱフィードバックを送信するために参照信号系列を割り当てられることができる。ＵＥは、１６ビットを８個のＱＰＳＫ変調シンボルにマッピングし、８個のデータ系列を生成するために８個の変調シンボルの各々で参照信号系列を変調し、２個のリソースブロックの８個のシンボル期間中に８個のデータ系列を送信することにより、ＨＡＲＱフィードバックの１６以下のビットを送信することができる。１つの設計では、ＵＥに割り当てられた参照信号系列は、（ｉ）ＵＥのためのパーキャリアダウンリンクグラントを運ぶＤＣＩに使用される最下のダウンリンクキャリア中の最初のＣＣＥに基づいて、或いは、（ｉｉ）ＵＥのためのマルチキャリアダウンリンクグラントを運ぶＤＣＩに使用される最初のＣＣＥに基づいて、決定されることができる。
【００５４】
スケジューラは、直交拡散なしにＨＡＲＱフィードバックを送信するためにＵＥのために取りおかれた参照信号系列が、同じリソースブロック中でＨＡＲＱフィードバックを送信するために、他のＵＥに割り当てられないことを保証することができる。これは、取りおかれた参照信号系列にマッピングしない最初のＣＣＥで他のＵＥのためにＤＣＩを送信することにより達成されることができる。取りおかれた参照信号系列にマッピングしないＣＣＥは、最初のＣＣＥとしてではなく、他のＵＥのためにＤＣＩを送信するために使用されることができる。或いは、ＣＣＥ構造は、同じ参照信号系列にマッピングする特定のＣＣＥで定義されてもよい。この場合、マルチキャリアダウンリンクグラント又は複数のパーキャリアダウンリンクグラントは、ＣＣＥでＵＥに送信されることができ、これらのＣＣＥにマッピングされる参照信号系列は、直交拡散なしにＨＡＲＱフィードバックを送信するために使用されることができる。
【００５５】
直交拡散が除去される場合、参照信号系列は、非平坦フェージングチャネル（non-flat fading channel）において望ましくない相関特性を経験することができる。この影響は、直交拡散なしにＨＡＲＱフィードバックを送信するために使用される参照信号系列が同じリソースブロック中でＨＡＲＱフィードバックを送信するために使用される他の参照信号系列に対してある循環シフトギャップを持つことを保証することにより、緩和される（mitigated）ことができる。
【００５６】
他の設計では、２を超えるビットは、４の代わりに長さ２の直交系列による直交拡散を縮小する（reduce）ことにより、ＰＵＣＣＨフォーマット１ｂを使用して送信されることができる。この設計では、２つのＵＥが、ＨＡＲＱフィードバックを送信するために、長さが２の異なる直交系列ではなく同じ参照信号系列を割り当てられることができる。各ＵＥは、８ビットを４個のＱＰＳＫ変調シンボルにマッピングし、２個のデータ系列を生成するために各変調シンボルを変調して拡散し、２個のリソースブロックの８個のシンボル期間中に４個の変調シンボルのために８個のデータ系列を送信することにより、８以下のビットのＨＡＲＱフィードバックを送信することができる。１つの設計では、ＵＥに割り当てられた参照信号系列及び直交系列は、（ｉ）ＵＥのためのパーキャリアダウンリンクグラントを運ぶＤＣＩに使用される最下のダウンリンクキャリア中の最初のＣＣＥに基づいて、或いは、（ｉｉ）ＵＥのためのマルチキャリアダウンリンクグラントを運ぶＤＣＩに使用される最初のＣＣＥに基づいて、決定されることができる。
【００５７】
スケジューラは、低減された直交拡散でＨＡＲＱフィードバックを送信するためにＵＥのために参照信号系列及び短い直交系列を取りおくことができる。長さ２のこの短い直交系列は、２つの長さ４の正規直交系列に対応することができる。スケジューラは、ＵＥのために取りおかれた参照信号系列及び２つの正規直交のシーケンスが、同じリソースブロックでＨＡＲＱフィードバックを送信するために、他のＵＥに割り当てられないことを保証することができる。これは、取りおかれた参照信号系列及び正規直交系列にマッピングしない最初のＣＣＥで他のＵＥのためにＤＣＩを送信することにより達成されることができる。取りおかれた参照信号系列及び正規直交系列にマッピングするＣＣＥは、最初のＣＣＥとしてではなく他のＵＥのためにＤＣＩを送信するために使用されることができる。
【００５８】
図６は、ストリクトＳＣ−ＦＤＭＡを用いてＨＡＲＱフィードバックを送信する設計を示す。図６に示される例では、３つのダウンリンクキャリアは、ダウンリンクグラント及びデータ送信を送信するために使用されることができ、１つのアップリンクキャリアは、ＨＡＲＱフィードバックを送信するために使用されることができる。各ダウンリンクキャリアは、１２個のＣＣＥを含むことができ、３つのダウンリンクキャリアに関する合計３６個のＣＣＥは、３６個のＡＣＫインデックスにマッピングされることができる。図６に示されるように、各ＣＣＥは、サブフレームの左スロット中の１つのＡＣＫリソース、及び右スロット中の１つのＡＣＫリソースにマッピングされることができる。
【００５９】
図６に示される例では、ＵＥ１は、３つ全てのダウンリンクキャリアでのデータ送信の予定がある。ＵＥ１のためのダウンリンクグラント１を運ぶＤＣＩは、ダウンリンクキャリア１のＣＣＥ２及び３中で送信され、ＵＥ１のためのダウンリンクグラント２を運ぶ他のＤＣＩは、ダウンリンクキャリア１のＣＣＥ５中で送信され、ＵＥ１のためのダウンリンクグラント３を運ぶさらに他のＤＣＩは、ダウンリンクキャリア１のＣＣＥ８中で送信される。ダウンリンクグラント１、２及び３は、それぞれダウンリンクキャリア１、２及び３で、データ送信に関するパラメータを伝達する。ＵＥ１は、ＰＵＣＣＨフォーマット１ｂを使用し直交拡散を使用しないリラックストＳＣ−ＦＤＭＡによって、３つのダウンリンクキャリアでのデータ送信に対するＨＡＲＱフィードバックを送信する。ＵＥ１は、ダウンリンクグラント１を運ぶＤＣＩに使用される最初のＣＣＥ２にマッピングされる参照信号系列ＣＳ２を割り当てられる。ＵＥ１は、参照信号系列ＣＳ２を使用して直交拡散を使用せずに、３つのダウンリンクキャリア全てに関するＨＡＲＱフィードバックを送信する。
【００６０】
参照信号系列ＣＳ２は、左スロット中のＣＣＥ２、６及び１０に、並びに、右スロット中のＣＣＥ２、５及び１２にマッピングするＡＣＫリソースＲｅｓ４、Ｒｅｓ５、及びＲｅｓ６のために使用される。ＣＣＥ５、６、１０及び１２は、他のＵＥが一方のスロット中で参照信号系列ＣＳ２を使用することを回避するために、他のＵＥのためのＤＣＩのために最初のＣＣＥとして使用されないことができる。しかしながら、ＣＣＥ５、６、１０及び１２は、ＤＣＩのための最初でない（non-starting）ＣＣＥとして使用されることができる。例えば、他のＤＣＩは、ＣＣＥ４、５及び６中で送信されることができる。
【００６１】
１つの設計では、直交拡散なしで或いは低減された直交拡散によってＨＡＲＱフィードバックを送信するかどうかに関する決定は、ＵＥによって送信するＡＣＫ／ＮＡＣＫの数に依存することができる。例えば、４以下のＡＣＫ／ＮＡＣＫが送信される場合は、縮小された直交拡散（reduced orthogonal spreading）が使用されることができ、４を超えるＡＣＫ／ＮＡＣＫが送信される場合は、直交拡散は使用されないことができる。
【００６２】
リラックストＳＣ−ＦＤＭＡ及びストリクトＳＣ−ＦＤＭＡの両方では、複数のＵＥは、異なる参照信号系列及び場合によっては異なる直交系列を使用することにより、同じリソースブロックでＨＡＲＱフィードバックを送信することができる。同じリソースブロックを共有するＵＥ間の干渉を低減するために、１以上の参照信号系列が削除されることができる。これは、直交拡散なしで或いは低減された直交拡散によってＨＡＲＱフィードバックを送信するＵＥへの干渉を低減することを特に望むとされる。
【００６３】
上述のように、ＵＥは、所定のスロット中にＨＡＲＱフィードバック及びデータの両方を送信することができる。１つの設計では、ＵＥは、ストリクトＳＣ−ＦＤＭＡに基づいてＰＵＳＣＨでＨＡＲＱフィードバック及びデータの両方を送信することができる。他の設計では、ＵＥは、ＰＵＳＣＨでデータを送信することができ、リラックストＳＣ−ＦＤＭＡに基づいてＰＵＣＣＨでＨＡＲＱフィードバックを送信することができる。ＵＥは、他の手法でＨＡＲＱフィードバック及びデータを送信することもできる。
【００６４】
他の設計では、複数のダウンリンクキャリアに関するＨＡＲＱフィードバックは、チャネル選択を用いて少なくとも１つのアップリンクキャリアで送信されることができる。ＵＥは、サブフレーム中のＡＣＫリソースの複数（Ｓ個）のペアを割り当てられることができ、各ペアは、サブフレームの各スロット中に１つのＡＣＫリソースを含む。ＡＣＫリソースのＳ個のペアは、（例えば、図５又は図６に示されるように）ＵＥのための１以上のダウンリンクグラントを送信するために使用されるＳ個のＣＣＥに対応付けられることができ、或いは、他の手法で決定されることができる。ＵＥは、複数のダウンリンクキャリアでのデータ送信に対して送信するＢ個のＡＣＫ／ＮＡＣＫを有することができる。Ｂ個のＡＣＫ／ＮＡＣＫは、（ｉ）Ｂ個のダウンリンクキャリアで送信されるＢのトランスボートブロック、即ち、ダウンリンクキャリア毎に１つのトランスポートブロック、（ｉｉ）多入力多出力（ＭＩＭＯ）でＢ／２個のトランスポートブロックで送信されるＢ個のトランスポートブロック、即ち、ダウンリンクキャリア毎に２つのトランスポートブロック、或いは、（ｉｉｉ）他の手法で１以上のダウンリンクキャリアで送信されるＢ個のトランスポートブロックに関するものであり得る。ＭＩＭＯにおいては、Ｐ個のトランスポートブロックは、Ｐ個のレイヤで同時に送信されることができ、即ち、１レイヤ当たり１つのトランスポートブロックが送信されることができる。ここで、Ｐは、１、２などであり得る。Ｐ個のレイヤから、ダウンリンクでのデータの送信に先立って、ｅＮＢによってデータに適用されるプレコーディングマトリックスで形成されることができる。
【００６５】
チャネル選択を用いるＡＣＫ送信の１つの設計では、ＵＥは、ＳペアのＡＣＫリソースの１つを選択することができ、さらに、ＵＥによって送信すべきＢ個のＡＣＫ／ＮＡＣＫに基づいて、選択されたペアのＡＣＫリソースで送信する特定の信号値を選択することができる。１つの設計では、２Ｂ個のエントリを備えたマッピングテーブルが定義されることができ、ここで、Ｂ個のＡＣＫ／ＮＡＣＫの２Ｂ個の可能な組み合わせ毎に１つのエントリがある。例えば、マッピングテーブル中の第１のエントリは、Ｂ個のＡＣＫの組み合わせに関するものであることができ、第２のエントリは、ＮＡＣＫが後続するＢ−１個のＡＣＫの組み合わせに関するものであることができ、第３のエントリは、ＡＣＫが後続するＮＡＣＫが後続するＢ−２個のＡＣＫの組み合わせに関するものであることができる。マッピングテーブルの各エントリは、（ＳペアのＡＣＫリソースの中から）使用する特定のペアのＡＣＫリソース、及びこのペアのＡＣＫリソースで送信する特定の信号値に対応付けられることができる。
【００６６】
テーブル２は、ＢのＡＣＫ／ＮＡＣＫをＡＣＫリソース及び信号値にマッピングするための例示的なマッピングテーブルを示す。一般に、ＡＣＫ／ＮＡＣＫの各組み合わせは、ＡＣＫリソース及び信号値の任意の適切な組み合わせにマッピングされることができる。
【表２】
0005596130.tif 000005
【００６７】
一例として、１０個のトランスポートブロックは、ＭＩＭＯによって５個のダウンリンクキャリアで送信されることができ、１つのダウンリンクキャリア当たり２のトランスポートブロックが送信される。５ペアのＡＣＫリソースは、ＵＥに割り当てられることができる。２１０＝１０２４個のエントリを備えるマッピングテーブルは、定義されることができ、１０個のＡＣＫ／ＮＡＣＫの１０２４個の可能な組み合わせの各々について１つのエントリがある。マッピングテーブル中の各エントリは、５ペアのＡＣＫリソースのうちの１つに対応付けられることができ、さらに、このペアのＡＣＫリソースで送信すべき特定の２ビットの値に対応付けられることができる。ＵＥは、（ｉ）送信すべきＡＣＫ／ＮＡＣＫの特定の組み合わせでマッピングテーブルを調べること、（ｉｉ）どのペアのＡＣＫリソース及びどの信号値を使用するかを決定すること、及び（ｉｉｉ）このペアのＡＣＫリソースで信号値を送信することにより、１０個のトランスポートブロックに関して１０個のＡＣＫ／ＮＡＣＫを送信することができる。
【００６８】
ＳペアのＡＣＫリソースは、ＡＣＫ情報のためのＳ個のチャネルと見なされることができる。チャネル選択は、特定のペアのＡＣＫリソース又はＡＣＫ情報を送信するチャネルの選択を指す。チャネル選択は、例えばただ１つのチャネルを使用して、所定数のＡＣＫリソースに関してより多くのＡＣＫ／ＮＡＣＫの送信を可能にすることができる。これは、（相互排他的であるかもしれない）ＡＣＫ／ＮＡＣＫの複数の組み合わせをチャネル及び信号値の同じ組み合わせにマッピングすることにより達成されることができる。チャネル選択は、さらに、同時にＳ個全てのチャネルの使用を回避することができる。シングルキャリアの波形が維持されないので、これは、より多くの送信電力及びより多くの電力増幅器（ＰＡ）バックオフを要求することがある。
【００６９】
１つの設計では、チャネル選択は、直交拡散とともに使用されることができる。図３に示される設計では、１つのＡＣＫ／ＮＡＣＫ又は２つのＡＣＫ／ＮＡＣＫは、それぞれＢＰＳＫ又はＱＰＳＫに基づいて、１つの変調シンボルｄ（０）にマッピングされることができる。この変調シンボルは、式（２）に示されるように、長さ４の直交系列ｗ（ｉ）で拡散されることができ、１ペアのＡＣＫリソースの各々で送信されることができる。ＡＣＫ／ＮＡＣＫの４以下の組み合わせは、直交拡散を用いて送信されるＡＣＫ情報の１つの変調シンボルとともにサポートされることができる。
【００７０】
他の設計では、チャネル選択は、直交拡散なしで使用されることができる。上述のように、８以下の変調シンボルは、直交拡散を除去することにより、１ペアのＡＣＫリソースで送信されることができる。ＡＣＫ／ＮＡＣＫのより多くの組み合わせは、直交拡散を除去することにより１ペアのＡＣＫリソースによってサポートされることができる。
【００７１】
さらに他の設計では、チャネル選択は、低減された直交拡散とともに使用されることができる。上述のように、４以下の変調シンボルは、長さ２の直交系列で拡散することにより、１ペアのＡＣＫリソースで送信されることができる。ＡＣＫ／ＮＡＣＫのより多くの組み合わせは、直交拡散を低減することにより１ペアのＡＣＫリソースによってサポートされることができる。
【００７２】
１つの設計では、上述のように、チャネル選択は、バンドリングなしで使用されることができる。この場合、ＵＥは、ダウンリンクで受信されるトランスポートブロックの各々について１つのＡＣＫ／ＮＡＣＫを生成することができる。他の設計では、チャネル選択は、様々な手法で実行され得るバンドリングとともに、使用されることができる。バンドリングの１つの設計では、ＵＥは、各ダウンリンクキャリアでＭＩＭＯにより送信される全てのトランスポートブロックに関するＡＣＫ／ＮＡＣＫをバンドリングすることができ、各ダウンリンクキャリアについて１つのバンドルされたＡＣＫ／ＮＡＣＫを得ることができる。他の設計では、ＵＥは、レイヤ毎に全てのダウンリンクキャリアで送信される全てのトランスポートブロックについてＡＣＫ／ＮＡＣＫをバンドルすることができ、レイヤ毎に１つのバンドルされたＡＣＫ／ＮＡＣＫを得ることができる。その後、全てのダウンリンクキャリア又はレイヤに関するバンドルされたＡＣＫ／ＮＡＣＫは、通常のＡＣＫ／ＮＡＣＫと同様の方法で、チャネル選択で送信されることができる。
【００７３】
図３に示されるように、ＵＥは、サブフレームの２つのスロット中でＡＣＫ情報を送信することができる。ＵＥは、様々な手法でＡＣＫ情報を符号化して送信することができる。１つの設計では、ＵＥは、サブフレームの２つのスロットにわたって反復してＡＣＫ情報を送信することができる。ＵＥは、ＡＣＫ情報のためのＣのコードビットを生成することができ、左スロット中の１つのリソースブロックでＣのコードビットを送信し、右スロット中の他のリソースブロックで同じＣのコードビットを送信する。ここで、Ｃ≧１である。従って、ＵＥは、サブフレームの２つのスロット中で反復して同じＣ個のコードビットを送信することができる。他の設計では、ＵＥは、サブフレームの２つのスロットにわたって統合符号化（joint coding）でＡＣＫ情報を送信することができる。ＵＥは、ＡＣＫ情報のための２Ｃ個のコードビットを生成し、左スロット中の１つのリソースブロックで最初のＣ個のコードビットを送信し、右スロット中の他のリソースブロックで残りのＣ個のコードビットを送信することができる。ＵＥは、上述した設計の各々に関して、反復又は統合符号化のいずれかによりＡＣＫ情報を送信することができる。ＵＥは、他の手法でＡＣＫ情報を送信することもできる。
【００７４】
図７は、無線通信システムにおいてフィードバック情報を送信するプロセス７００の設計を示す。プロセス７００は、（以下に説明されるような）ＵＥによって、或いは、他のエンティティによって実行されることができる。ＵＥは、複数のダウンリンクキャリアのうちの１つのダウンリンクキャリア（a downlink carrier）でデータ送信を受信することができる（ブロック７１２）。ＵＥは、データ送信に関するフィードバック情報を決定することができる（ブロック７１４）。フィードバック情報は、ＡＣＫ情報（例えばＡＣＫ及び／又はＮＡＣＫ）、或いは、ＣＱＩ情報、或いは、他の情報、或いは、これらの組み合わせを含むことができる。ＵＥは、複数のアップリンクキャリアの中から、フィードバック情報を送信するために使用するアップリンクキャリアを決定することができる。その後、ＵＥは、アップリンクキャリアでフィードバック情報を送信することができる（ブロック７１８）。
【００７５】
ＵＥは、様々な手法でフィードバック情報を送信するために使用するアップリンクキャリアを決定することができる。１つの設計では、ＵＥは、フィードバック情報を送信するために、指定されるアップリンクキャリアを使用するか、或いは、ペアにされるアップリンクキャリアを使用するかを示すフラグを受信することができる。ペアにされるアップリンクキャリアは、（ｉ）データ送信に使用されるダウンリンクキャリア、或いは、（ｉｉ）ダウンリンクグラントを送信するために使用されるダウンリンクキャリア、或いは、（ｉｉｉ）何らかの他のダウンリンクキャリアに対応付けられることができる。ＵＥは、フラグに基づいて、フィードバック情報を送信するために使用するアップリンクキャリアを決定することができる。ＵＥは、フラグが第１の値にセットされる場合には、指定されるアップリンクキャリアでフィードバック情報を送信することができ、フラグが第２の値にセットされる場合には、ペアにされるアップリンクキャリアでフィードバック情報を送信することができる。
【００７６】
他の設計では、ＵＥは、フィードバック情報を送信するために使用するアップリンクキャリアを識別するシグナリングを受信することができる。シグナリングは、上位レイヤ（例えばＲＲＣ）シグナリングによって特にＵＥに送信されてもよく、全てのＵＥに送信されてもよい。
【００７７】
さらに他の設計では、ＵＥは、複数のダウンリンクキャリアのうちの第２のダウンリンクキャリアでダウンリンクグラントを受信することができる。ダウンリンクグラントは、ダウンリンクキャリアでのデータ送信に関するものであり得る。フィードバック情報を送信するために使用するアップリンクキャリアは、ダウンリンクグラントを送信するために使用される第２のダウンリンクキャリアとペアにされるアップリンクキャリアであり得る。第２のダウンリンクキャリアは、データ送信に使用されるダウンリンクキャリアであってもよく、そうでなくてもよい。
【００７８】
１つの設計では、多対一のマッピングにおいて、複数のダウンリンクキャリアでのデータ送信に関するフィードバックは、同じアップリンクキャリアで送信されることができる。ＵＥは、複数のダウンリンクキャリアのうちの他のダウンリンクキャリアで第２のデータ送信を受信することができる。ＵＥは、同じアップリンクキャリアで第２のデータ送信に関するフィードバック情報を送信することができる。
【００７９】
図８は、無線通信システムにおいてフィードバック情報を送信する装置８００の設計を示す。装置８００は、複数のダウンリンクキャリアのうちの１つのダウンリンクキャリアでデータ送信を受信するモジュール８１２と、データ送信に関するフィードバック情報を決定するモジュール８１４と、複数のアップリンクキャリアの中からフィードバック情報を送信するために使用するアップリンクキャリアを決定するモジュール８１６と、アップリンクキャリアでフィードバック情報を送信するモジュール８１８と、を含む。
【００８０】
図９は、無線通信システムにおいてフィードバック情報を受信するプロセス９００の設計を示す。プロセス９００は、（以下に説明されるような）基地局又はｅＮＢによって、或いは、他のエンティティによって実行されることができる。基地局は、ＵＥに、複数のダウンリンクキャリアのうちの１つのダウンリンクキャリア（a downlink carrier）でデータ送信を送信することができる（ブロック９１２）。基地局は、複数のアップリンクキャリアの中から、データ送信に関するフィードバック情報（例えば、ＡＣＫ情報、ＣＱＩ情報など）を送信するためにＵＥによって使用されるアップリンクキャリアを決定することができる（ブロック９１４）。基地局は、ＵＥから、アップリンクキャリアでフィードバック情報を受信することができる（ブロック９１６）。
【００８１】
１つの設計では、基地局は、フィードバック情報を送信するために、指定されるアップリンクキャリアを使用するか、或いは、ペアにされるアップリンクキャリアを使用するかを示すフラグを送信することができる。フィードバック情報を送信するために使用されるアップリンクキャリアは、フラグに基づいて決定されることができる。他の設計では、基地局は、フィードバック情報を送信するために使用されるアップリンクキャリアを識別するシグナリングを送信することができる。さらに他の設計では、基地局は、複数のダウンリンクキャリアのうちの第２のダウンリンクキャリアでダウンリンクグラントを送信することができる。フィードバック情報を送信するために使用されるアップリンクキャリアは、ダウンリンクグラントを送信するために使用される第２のダウンリンクキャリアとペアにされ得る。第２のダウンリンクキャリアは、データ送信に使用されるダウンリンクキャリアであってもよく、そうでなくてもよい。
【００８２】
１つの設計では、基地局は、ＵＥに、複数のダウンリンクキャリアのうちの他のダウンリンクキャリアで第２のデータ送信を送信することができる。基地局は、ＵＥから、同じアップリンクキャリアで第２のデータ送信に関するフィードバック情報を受信することができる。
【００８３】
図１０は、無線通信システムにおいてフィードバック情報を受信する装置１０００の設計を示す。装置１０００は、複数のダウンリンクキャリアのうちの１つのダウンリンクキャリアでデータ送信をＵＥに送信するモジュール１０１２と、複数のアップリンクキャリアの中からデータ送信に関するフィードバック情報を送信するためにＵＥによって使用されるアップリンクキャリアを決定するモジュール１０１４と、アップリンクキャリアでフィードバック情報をＵＥから受信するモジュール１０１６と、を含む。
【００８４】
図１１は、無線通信システムにおいてフィードバック情報を送信するプロセス１１００の設計を示す。プロセス１１００は、（以下に説明されるような）ＵＥによって、或いは、他のエンティティによって実行されることができる。ＵＥは、複数のダウンリンクキャリアでデータ送信を受信することができ（ブロック１１１２）、データ送信に関するフィードバック情報を決定することができる（ブロック１１１４）。フィードバック情報は、ＡＣＫ情報、ＣＱＩ情報、或いは、何らかの他の情報、或いは、これらの組み合わせを含むことができる。ＵＥは、ＳＣ−ＦＤＭＡを使用して、少なくとも１つのアップリンクキャリアでフィードバック情報を送信することができる（ブロック１１１６）。
【００８５】
１つの設計では、ＵＥは、少なくとも１つのアップリンクキャリアの複数の周波数領域においてフィードバック情報を送信することができ、各ダウンリンクキャリアにつき１つの周波数領域がある。ＵＥは、複数の周波数領域に関する少なくとも１つの周波数オフセットを識別するシグナリングを受信することができる。他の設計では、ＵＥは、１つのアップリンクキャリアの１つの周波数領域においてフィードバック情報を送信することができる。さらに他の設計では、ＵＥは、少なくとも１つのアップリンクキャリアに関する複数のリソースでフィードバック情報を送信することができる。複数のリソースは、異なる周波数領域、或いは、異なる直交系列、或いは、異なる参照信号系列、何らかの他のタイプのリソース、或いは、これらの組み合わせに相当することができる。ＵＥは、フィードバック情報を送信するために使用する複数のリソースを識別するシグナリングを受信することができる。シグナリングは、特にＵＥに送信する専用のシグナリング（例えば、ＲＲＣシグナリング）であってもよく、全てのユーザに送信するブロードキャストシグナリング（例えば、システム情報）であってもよい。
【００８６】
１つの設計では、ＵＥは、反復符号化（repetition coding）を用いてフィードバック情報を送信することができる。この設計では、ＵＥは、フィードバック情報に基づいて複数のコードビットを生成することができる。その後、ＵＥは、サブフレームの第１のスロット中で、及びまたサブフレームの第２のスロット中で、複数のコードビットを送信することができる。他の設計では、ＵＥは、統合符号化（joint cording）を用いてフィードバック情報を送信することができる。この設計では、ＵＥは、フィードバック情報に基づいて複数のコードビットを生成することができる。ＵＥは、サブフレームの第１のスロット中で複数のコードビットの第１のサブセット（例えば、前半）を送信することができ、サブフレームの第２のスロット中で複数のコードビットの第２のサブセット（例えば、後半）を送信することができる。
【００８７】
１つの設計では、ＵＥは、バンドリングなしで、複数のダウンリンクキャリアでのデータ送信に関するフィードバック情報を送信することができる。この設計では、ＵＥは、各ダウンリンクキャリアでのデータ送信に関する（又は、各ダウンリンクキャリアで送信されるトランスポートブロックに関する）ＡＣＫ又はＮＡＣＫを送信することができる。他の設計では、ＵＥは、バンドリングを用いて、複数のダウンリンクキャリアでのデータ送信に関するフィードバック情報を送信することができる。この設計では、ＵＥは、各ダウンリンクキャリアでのデータ送信に関するＡＣＫ又はＮＡＣＫを決定することができる。その後、ＵＥは、各ダウンリンクキャリアでのデータ送信に関するＡＣＫ又はＮＡＣＫに基づいて、複数のダウンリンクキャリアでのデータ送信に関するバンドルされたＡＣＫ又はＮＡＣＫを決定することができる。ＵＥは、１つのダウンリンクキャリアでのデータ送信に関するＡＣＫ又はＮＡＣＫと同様の方法で、バンドルされたＡＣＫ又はＮＡＣＫを送信することができる。
【００８８】
図１２は、無線通信システムにおいてフィードバック情報を送信する装置１２００の設計を示す。装置１２００は、複数のダウンリンクキャリアでデータ送信を受信するモジュール１２１２と、データ送信に関するフィードバック情報を決定するモジュール１２１４と、ＳＣ−ＦＤＭＡを使用して少なくとも１つのアップリンクキャリアでフィードバック情報を送信するモジュール１２１６と、を含む。
【００８９】
図１３は、無線通信システムにおいてフィードバック情報を受信するプロセス１３００の設計を示す。プロセス１３００は、（以下に説明されるような）基地局又はｅＮＢによって、或いは、何らかの他のエンティティによって実行されることができる。基地局は、ＵＥに、複数のダウンリンクキャリアでデータ送信を送信することができる（ブロック１３１２）。基地局は、ＵＥから、複数のダウンリンクキャリアでのデータ送信に関するフィードバック情報を受信することができる（ブロック１３１４）。フィードバック情報は、ＳＣ−ＦＤＭＡを使用して少なくとも１つのアップリンクキャリアでＵＥによって送信されることができ、ＡＣＫ情報、或いは、ＣＱＩ情報、或いは、何らかの他の情報、或いは、これらの組み合わせを含むことができる。
【００９０】
１つの設計では、基地局は、少なくとも１つのアップリンクキャリアの複数の周波数領域からフィードバック情報を受信することができ、各ダウンリンクキャリアにつき１つの周波数領域がある。基地局は、複数の周波数領域に関する少なくとも１つの周波数オフセットを識別するシグナリングを送信することができる。他の設計では、基地局は、１つのアップリンクキャリアの１つの周波数領域からフィードバック情報を受信することができる。さらに他の設計では、基地局は、少なくとも１つのアップリンクキャリアに関する複数のリソースでフィードバック情報を受信することができる。複数のリソースは、異なる周波数領域、或いは、異なる直交系列、或いは、異なる参照信号系列、或いは、これらの組み合わせに対応することができる。基地局は、複数のリソースを識別するシグナリングを送信することができる。シグナリングは、特にＵＥに送信される専用のシグナリングであってもよく、全てのＵＥに送信されるブロードキャストシグナリングであってもよい。
【００９１】
１つの設計では、基地局は、サブフレームの２つのスロット中で反復符号化を用いて送信されるフィードバック情報に対して復号を実行することができる。他の設計では、基地局は、サブフレームの２つのスロットにわたって統合符号化を用いて送信されるフィードバック情報に対して統合復号（joint decoding）を実行することができる。
【００９２】
１つの設計では、基地局は、バンドリングなしで送信されるＡＣＫ情報を受信することができる。この設計では、基地局は、各ダウンリンクキャリアでのデータ送信に関する（又は、各トランスポートブロックに関する）ＡＣＫ又はＮＡＣＫを受信することができる。他の設計では、基地局は、バンドリングを用いて送信されるＡＣＫ情報を受信することができる。この設計では、基地局は、複数のダウンリンクキャリアでのデータ送信に関するバンドルされたＡＣＫ又はＮＡＣＫを得ることができる。バンドルされたＡＣＫ又はＮＡＣＫは、各ダウンリンクキャリアでのデータ送信に関して得られたＡＣＫ又はＮＡＣＫに基づいてＵＥによって決定されることができる。基地局は、バンドルＮＡＣＫ（bundle NACK）が得られる場合には、複数のダウンリンクキャリアでのデータ送信の全てを再送信することができ、バンドルＡＣＫ（bundle ACK）が得られる場合には、全てのデータ送信を終了することができる。
【００９３】
図１４は、無線通信システムにおいてフィードバック情報を受信する装置１４００の設計を示す。装置１４００は、複数のダウンリンクキャリアでデータ送信をＵＥに送信するモジュール１４１２と、複数のダウンリンクキャリアでのデータ送信に関するフィードバック情報であって、ＳＣ−ＦＤＭＡを使用して少なくとも１つのアップリンクキャリアでＵＥによって送信されるフィードバック情報をＵＥから受信するモジュール１４１４と、を含む。
【００９４】
図８、１０、１２及び１４中のモジュールは、プロセッサ、電子装置（electronic device）、ハードウェアデバイス、電子コンポーネント（electronic component）、論理回路、メモリ、ソフトウェアコード、ファームウェアコードなど、或いは、これらの任意の組み合わせを含むことができる。
【００９５】
図１７は、基地局／ｅＮＢ１１０及びＵＥ１２０の設計のブロック図を示し、これらは、図１の基地局／ｅＮＢｓのうちの１つ及びＵＥのうちの１つであり得る。基地局１１０は、Ｔ個のアンテナ１７３４ａから１７３４ｔを備えることができ、ＵＥ１２０は、Ｒ個のアンテナ１７５２ａから１７５２ｒを備えることができる。ここで、一般に、Ｔ≧１であり、Ｒ≧１である。
【００９６】
基地局１１０では、送信プロセッサ１７２０は、１以上のＵＥのためにデータソース１７１２からデータを受信し、各ＵＥのためのデータを、そのＵＥのために選択された１以上の変調及び符号化スキームに基づいて、処理し（例えば、符号化して変調し）、全てのＵＥのためのデータシンボルを提供することができる。送信プロセッサ１７２０はまた、制御情報（例えば、ダウンリンクグラント、ＲＲＣシグナリングなど）を処理して、制御シンボルを提供することができる。ＴＸＭＩＭＯプロセッサ１７３０は、データシンボル、（該当する場合）制御シンボル及び／又は参照シンボルをプリコードし（precode）、Ｔ個の出力シンボルストリームを、Ｔ個の変調器（ＭＯＤ；modulator）１７３２ａから１７３２ｔに提供することができる。各変調器１７３２は、（例えば、ＯＦＤＭに関する）その出力シンボルストリームを処理して出力サンプルストリームを得ることができる。さらに、各変調器１７３２は、その出力サンプルストリームを調整して（例えば、アナログに変換し、フィルタリングし、増幅し、アップコンバートして）、ダウンリンク信号を生成することができる。変調器１７３２ａから１７３２ｔからのＴ個のダウンリンク信号はそれぞれＴ個のアンテナ１７３４ａから１７３４ｔを介して送信されることができる。
【００９７】
ＵＥ１２０では、Ｒ個のアンテナ１７５２ａから１７５２ｒは、ｅＮＢ１１０からＴ個のダウンリンク信号を受信することができ、各アンテナ１７５２は、対応する復調器（ＤＥＭＯＤ）１７５４に受信信号を供給することができる。各復調器１７５４は、受信信号を調整して（例えば、フィルタリングし、増幅し、ダウンコンバージョンし、デジタル化して）サンプルを得て、さらに、（例えば、ＯＦＤＭに関する）サンプルを処理して受信シンボルを得る。ＭＩＭＯ検出器１７６０は、全ての復調器１７５４から受信シンボルを得て、該当する場合、受信シンボルに対してＭＩＭＯ検出を行ない、検出されたシンボルを提供することができる。受信プロセッサ１７７０は、検出されたシンボルを処理し（例えば、復調して復号し）、ＵＥ１２０のための復号されたデータをデータシンク１７７２に供給し、復号された制御情報をコントローラ／プロセッサ１７９０に供給することができる。
【００９８】
アップリンク上では、ＵＥ１２０において、データソース１７７８からのデータ及びコントローラ／プロセッサ１７９０からの制御情報（例えば、ＡＣＫ情報、ＣＱＩ情報などのフィードバック情報）は、送信プロセッサ１７８０によって処理され、該当する場合、ＴＸＭＩＭＯプロセッサ１７８２によってプレコード化され（precoded）、モジュレータ１７５４ａから１７５４ｒによってさらに処理され、基地局１１０へ送信されることができる。基地局１１０では、ＵＥ１２０からのアップリンク信号は、アンテナ１７３４によって受信され、復調器１７３２によって処理され、該当する場合、ＭＩＭＯ検出器１７３６によって検出され、さらに、ＵＥ１２０によって送信されたデータ及び制御情報を回復する（recover）ために受信プロセッサ１７３８によって処理されることができる。回復されたデータは、データシンク１７３９に供給されることができ、回復された制御情報は、コントローラ／プロセッサ１７４０に供給されることができる。
【００９９】
コントローラ／プロセッサ１７４０及び１７９０は、それぞれ基地局１１０及びＵＥ１２０において動作を命令することができる。ＵＥ１２０のプロセッサ１７９０、他のプロセッサ及びモジュールは、図７のプロセス７００、図１１のプロセス１１００、及び／又はここに説明される技術に関する他のプロセスを実行若しくは命令することができる。基地局１１０のプロセッサ１７４０、他のプロセッサ及びのモジュールは、図９のプロセス９００、図１３のプロセス１３００、及び／又はここに説明される技術に関する他のプロセスを実行若しくは命令することができる。メモリ１７４２及び１７９２は、それぞれ基地局１１０及びＵＥ１２０のためのデータ及びプログラムコードを格納することができる。スケジューラ１７４４は、ダウンリンク及び／又はアップリンクでのデータ送信に関して、ＵＥ１２０及び／又は他のＵＥをスケジューリングする（schedule）ことができる。
【０１００】
当業者は、情報及び信号が様々な異なる技術及び技法のうちのいずれかを使用して表現され得ることを理解するだろう。例えば、上記説明の全体を通じて言及され得るデータ、命令、コマンド、情報、信号、ビット、シンボル、及びチップは、電圧、電流、電磁波、磁場、磁性粒子、光学場、光学粒子、或いは、これらの任意の組み合わせによって表現されることができる。
【０１０１】
当業者は、本開示に関連してここに説明される様々な例示的な論理ブロック、モジュール、回路、及びアルゴリズムステップが電子ハードウェア、コンピュータソフトウェア、或いは、これら両方の組み合わせとして実施できることをさらに認識するだろう。ハードウェアとソフトウェアとのこの互換性を明確に例証するために、種々の例示的なコンポーネント、ブロック、モジュール、回路及びステップは、それらの機能に関して上記に一般的に説明されている。このような機能がハードウェアとして実施されるかソフトウェアとして実施されるかは、システム全体に課される設計制約、及び特定の用途に依存する。当業者は、特定の用途ごとに異なる方法で、説明される機能を実施することができるが、このような実施の決定は、本開示の範囲からの逸脱を招くものとして解釈されるべきではない。
【０１０２】
本開示に関連してここに説明される様々な例示的な論理ブロック、モジュール、及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブル論理デバイス、ディスクリートゲート又はトランジスタ論理、ディスクリートハードウェアコンポーネント、或いは、ここに説明される機能を実行するように設計されるこれら任意の組み合わせで実施若しくは実行されることができる。汎用プロセッサは、マイクロプロセッサであってもよく、或いは、プロセッサは、任意の従来のプロセッサ、コントローラ、マイクロコントローラ、又は状態機械であってもよい。プロセッサはまた、コンピューティングデバイスの組み合わせ、例えば、ＤＳＰとマイクロプロセッサの組み合わせ、複数のマイクロプロセッサ、ＤＳＰコアと併用される１以上のマイクロプロセッサ、或いは、他のそのような形態として実施されることができる。
【０１０３】
本開示に関連してここに説明されるアルゴリズム又は方法のステップは、ハードウェアで直接に具現化されてもよく、プロセッサによって実行されるソフトウェアモジュールで具現化されてもよく、或いは、これら２つの組み合わせで具現化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は本技術分野で知られている記憶媒体の他の形態に存在し得る。例示的な記憶媒体は、プロセッサが記録媒体から情報を読み出し、記録媒体に情報を書き込むことができるように、プロセッサに結合される。或いは、記憶媒体は、プロセッサと一体化されていてもよい。プロセッサ及び記憶媒体は、ＡＳＩＣ内に存在していてもよい。ＡＳＩＣは、ユーザ端末内に存在していてもよい。或いは、プロセッサ及び記憶媒体は、ユーザ端末内に個別の構成要素として存在してもよい。
【０１０４】
１以上の例示的な設計では、説明される機能は、ハードウェア、ソフトウェア、ファームウェア、或いは、これらの任意の組み合わせにより実施されることができる。ソフトウェアにより実施される場合、機能は、１以上の命令又はコードとして、コンピュータ可読媒体に格納され、或いは、コンピュータ可読媒体を介して送信されることができる。コンピュータ可読媒体は、ある場所から他の場所へコンピュータプログラムの転送を促進するあらゆる媒体を含む通信媒体及びコンピュータ記憶媒体の両方を含む。記憶媒体は、汎用又は専用のコンピュータがアクセスすることができるいかなる利用可能な媒体であってもよい。例を挙げると、これに限定されないが、このようなコンピュータ可読媒体は、ＲＡＭ、ＲＯＭ、ＥＥＰＲＯＭ、ＣＤ−ＲＯＭ又は他の光ディスク記憶装置、磁気ディスク記憶装置、他の磁気記憶装置、或いは、所望のプログラムコード手段を命令又はデータ構造の形態で運搬若しくは格納するために使用することができ、且つ、汎用又は専用のコンピュータ或いは汎用又は専用のプロセッサがアクセスすることができる他の媒体を含むことができる。さらに、いかなる接続もコンピュータ可読媒体と適切に称される。例えば、ソフトウェアが、同軸ケーブル、光ファイバケーブル、ツイストペア、デジタル加入者線（ＤＳＬ）、又は赤外線、電波及びマイクロ波などの無線技術を使用して、ウェブサイト、サーバ又は他のリモートソースから送信される場合、同軸ケーブル、光ファイバケーブル、ツイストペア、ＤＳＬ、又は赤外線、電波及びマイクロ波などの無線技術は、媒体の定義に含まれる。ディスク（ｄｉｓｋ）及びディスク（ｄｉｓｃ）は、ここで使用される場合、コンパクトディスク（ＣＤ）、レーザーディスク（登録商標）、光ディスク、デジタル多用途ディスク（ＤＶＤ）、フロッピー（登録商標）ディスク、及びブルーレイディスクを含み、ディスク（ｄｉｓｋ）は、通常、データを磁気的に再生し、ディスク（ｄｉｓｃ）は、レーザを用いてデータを光学的に再生する。上記のものを組み合わせたものもコンピュータ可読媒体の範囲内に含まれるべきである。
【０１０５】
本開示についての以上の説明は、当業者の誰もが本開示を作成若しくは使用することを可能にするように提供される。本開示の様々な変形は、当業者には容易に明らかであり、ここに定義された包括的な原理は、本開示の精神又は範囲を逸脱することなく、他の変形に適用されることができる。従って、本開示は、ここに説明される例及び設計に限定されるように意図するものではなく、ここに説明される原理及び新規な特徴と整合する最も広い範囲を与えられるべきである。
以下に、本願出願の当初の特許請求の範囲に記載された発明を付記する。
［１］  複数のダウンリンクキャリアのうちの１つのダウンリンクキャリアでデータ送信を受信することと、
前記データ送信に関するフィードバック情報を決定することと、
複数のアップリンクキャリアの中から、前記フィードバック情報を送信するために使用するアップリンクキャリアを決定することと、
前記アップリンクキャリアで前記フィードバック情報を送信することと、
を具備する無線通信の方法。
［２］  前記フィードバック情報は、肯定応答（ＡＣＫ）情報、或いは、チャネル品質指標（ＣＱＩ）情報、或いは、これら両方を含む、［１］の方法。
［３］  前記フィードバック情報を送信するために、指定されるアップリンクキャリアを使用するか、或いは、ペアにされるアップリンクキャリアを使用するかを示すフラグを受信することをさらに具備し、前記ペアにされるアップリンクキャリアは、前記データ送信に使用される前記ダウンリンクキャリア又はダウンリンクグラントを送信するために使用されるダウンリンクキャリアに対応付けられ、前記フィードバック情報を送信するために使用される前記アップリンクキャリアは、前記フラグに基づいて決定される、［１］の方法。
［４］  前記フィードバック情報を送信するために使用する前記アップリンクキャリアを識別するシグナリングを受信することをさらに具備する［１］の方法。
［５］  前記複数のダウンリンクキャリアのうちの第２のダウンリンクキャリアでダウンリンクグラントを受信することをさらに具備し、前記ダウンリンクグラントは、前記ダウンリンクキャリアでの前記データ送信に関するものであり、前記フィードバック情報を送信するために使用する前記アップリンクキャリアは、前記ダウンリンクグラントを送信するために使用される前記第２のダウンリンクキャリアとペアにされる、［１］の方法。
［６］  前記アップリンクキャリアは、前記複数のダウンリンクキャリアに関するフィードバック情報を送信するために使用される、［１］の方法。
［７］  前記複数のダウンリンクキャリアのうちの第２のダウンリンクキャリアで第２のデータ送信を受信することと、
前記アップリンクキャリアで前記第２のデータ送信に関するフィードバック情報を送信することと、をさらに具備する［１］の方法。
［８］  複数のダウンリンクキャリアのうちの１つのダウンリンクキャリアでデータ送信を受信する手段と、
前記データ送信に関するフィードバック情報を決定する手段と、
複数のアップリンクキャリアの中から、前記フィードバック情報を送信するために使用するアップリンクキャリアを決定する手段と、
前記アップリンクキャリアで前記フィードバック情報を送信する手段と、
を具備する無線通信のための装置。
［９］  前記フィードバック情報を送信するために、指定されるアップリンクキャリアを使用するか、或いは、ペアにされるアップリンクキャリアを使用するかを示すフラグを受信する手段をさらに具備し、前記ペアにされるアップリンクキャリアは、前記データ送信に使用される前記ダウンリンクキャリア又はダウンリンクグラントを送信するために使用されるダウンリンクキャリアに対応付けられ、前記フィードバック情報を送信するために使用される前記アップリンクキャリアは、前記フラグに基づいて決定される、［８］の装置。
［１０］  前記フィードバック情報を送信するために使用する前記アップリンクキャリアを識別するシグナリングを受信する手段をさらに具備する［８］の装置。
［１１］  前記複数のダウンリンクキャリアのうちの第２のダウンリンクキャリアでダウンリンクグラントを受信する手段をさらに具備し、前記ダウンリンクグラントは、前記ダウンリンクキャリアでの前記データ送信に関するものであり、前記フィードバック情報を送信するために使用する前記アップリンクキャリアは、前記ダウンリンクグラントを送信するために使用される前記第２のダウンリンクキャリアとペアにされる、［８］の装置。
［１２］  複数のダウンリンクキャリアのうちの１つのダウンリンクキャリアでデータ送信を受信し、前記データ送信に関するフィードバック情報を決定し、複数のアップリンクキャリアの中から、前記フィードバック情報を送信するために使用するアップリンクキャリアを決定し、前記アップリンクキャリアで前記フィードバック情報を送信するように構成される少なくとも１つのプロセッサを具備する無線通信のための装置。
［１３］  前記少なくとも１つのプロセッサは、前記フィードバック情報を送信するために、指定されるアップリンクキャリアを使用するか、或いは、ペアにされるアップリンクキャリアを使用するかを示すフラグを受信し、前記フラグに基づいて、前記フィードバック情報を送信するために使用する前記アップリンクキャリアを決定するように構成され、前記ペアにされるアップリンクキャリアは、前記データ送信に使用される前記ダウンリンクキャリア又はダウンリンクグラントを送信するために使用されるダウンリンクキャリアに対応付けられる、［１２］の装置。
［１４］  前記少なくとも１つのプロセッサは、前記フィードバック情報を送信するために使用する前記アップリンクキャリアを識別するシグナリングを受信するように構成される、［１２］の装置。
［１５］  前記少なくとも１つのプロセッサは、前記複数のダウンリンクキャリアのうちの第２のダウンリンクキャリアでダウンリンクグラントを受信するように構成され、前記ダウンリンクグラントは、前記ダウンリンクキャリアでの前記データ送信に関するものであり、前記フィードバック情報を送信するために使用する前記アップリンクキャリアは、前記ダウンリンクグラントを送信するために使用される前記第２のダウンリンクキャリアとペアにされる、［１２］の装置。
［１６］  コンピュータに、複数のダウンリンクキャリアのうちの１つのダウンリンクキャリアでデータ送信を受信させるコードと、
前記コンピュータに、前記データ送信に関するフィードバック情報を決定させるコードと、
前記コンピュータに、複数のアップリンクキャリアの中から、前記フィードバック情報を送信するために使用するアップリンクキャリアを決定させるコードと、
前記コンピュータに、前記アップリンクキャリアで前記フィードバック情報を送信させるコードと、
を備えるコンピュータ読取可能な媒体を具備するコンピュータプログラム製品。
［１７］  ユーザ設備（ＵＥ）に、複数のダウンリンクキャリアのうちの１つのダウンリンクキャリアでデータ送信を送信することと、
複数のアップリンクキャリアの中から、前記データ送信に関するフィードバック情報を送信するために前記ＵＥによって使用されるアップリンクキャリアを決定することと、
前記ＵＥから、前記アップリンクキャリアで前記フィードバック情報を受信することと、
を具備する無線通信の方法。
［１８］  前記フィードバック情報を送信するために、指定されるアップリンクキャリアを使用するか、或いは、ペアにされるアップリンクキャリアを使用するかを示すフラグを送信することをさらに具備し、前記ペアにされるアップリンクキャリアは、前記データ送信に使用される前記ダウンリンクキャリア又はダウンリンクグラントを送信するために使用されるダウンリンクキャリアに対応付けられ、前記フィードバック情報を送信するために使用される前記アップリンクキャリアは、前記フラグに基づいて決定される、［１７］の方法。
［１９］  前記フィードバック情報を送信するために使用される前記アップリンクキャリアを識別するシグナリングを送信することをさらに具備する［１７］の方法。
［２０］  前記複数のダウンリンクキャリアのうちの第２のダウンリンクキャリアでダウンリンクグラントを送信することをさらに具備し、前記ダウンリンクグラントは、前記ダウンリンクキャリアでの前記データ送信に関するものであり、前記フィードバック情報を送信するために使用される前記アップリンクキャリアは、前記ダウンリンクグラントを送信するために使用される前記第２のダウンリンクキャリアとペアにされる、［１７］の方法。
［２１］  前記ＵＥに、前記複数のダウンリンクキャリアのうちの第２のダウンリンクキャリアで第２のデータ送信を送信することと、
前記ＵＥから、前記アップリンクキャリアで前記第２のデータ送信に関するフィードバック情報を受信することと、をさらに具備する［１７］の方法。
［２２］  ユーザ設備（ＵＥ）に、複数のダウンリンクキャリアのうちの１つのダウンリンクキャリアでデータ送信を送信する手段と、
複数のアップリンクキャリアの中から、前記データ送信に関するフィードバック情報を送信するために前記ＵＥによって使用されるアップリンクキャリアを決定する手段と、
前記ＵＥから、前記アップリンクキャリアで前記フィードバック情報を受信する手段と、
を具備する無線通信のための装置。
［２３］  前記フィードバック情報を送信するために、指定されるアップリンクキャリアを使用するか、或いは、ペアにされるアップリンクキャリアを使用するかを示すフラグを送信する手段をさらに具備し、前記ペアにされるアップリンクキャリアは、前記データ送信に使用される前記ダウンリンクキャリア又はダウンリンクグラントを送信するために使用されるダウンリンクキャリアに対応付けられ、前記フィードバック情報を送信するために使用される前記アップリンクキャリアは、前記フラグに基づいて決定される、［２２］の装置。
［２４］  前記フィードバック情報を送信するために使用される前記アップリンクキャリアを識別するシグナリングを送信することをさらに具備する［２２］の装置。
［２５］  前記複数のダウンリンクキャリアのうちの第２のダウンリンクキャリアでダウンリンクグラントを送信する手段をさらに具備し、前記ダウンリンクグラントは、前記ダウンリンクキャリアでの前記データ送信に関するものであり、前記フィードバック情報を送信するために使用される前記アップリンクキャリアは、前記ダウンリンクグラントを送信するために使用される前記第２のダウンリンクキャリアとペアにされる、［２２］の装置。
［２６］  複数のダウンリンクキャリアでデータ送信を受信することと、
前記データ送信に関するフィードバック情報を決定することと、
シングルキャリア周波数分割多元接続（ＳＣ−ＦＤＭＡ）を使用して、少なくとも１つのアップリンクキャリアで前記フィードバック情報を送信することと、
を具備する無線通信の方法。
［２７］  前記フィードバック情報は、肯定応答（ＡＣＫ）情報、或いは、チャネル品質指標（ＣＱＩ）情報、或いは、これら両方を含む、［２６］の方法。
［２８］  前記フィードバック情報を送信することは、前記少なくとも１つのアップリンクキャリアの複数の周波数領域において前記フィードバック情報を送信することを備え、各ダウンリンクキャリアに関して１つの周波数領域がある、［２６］の方法。
［２９］  前記複数の周波数領域に関する少なくとも１つの周波数オフセットを識別するシグナリングを受信することをさらに具備する［２８］の方法。
［３０］  前記フィードバック情報を送信することは、１つのアップリンクキャリアの１つの周波数領域において前記フィードバック情報を送信することを備える、［２６］の方法。
［３１］  前記フィードバック情報を送信することは、前記少なくとも１つのアップリンクキャリアに関する複数のリソースで前記フィードバック情報を送信することを備える、［２６］の方法。
［３２］  前記複数のリソースは、異なる周波数領域、或いは、異なる直交系列、或いは、異なる参照信号系列、或いは、これらの組み合わせに対応する、［３１］の方法。
［３３］  前記フィードバック情報を送信するために使用される前記複数のリソースを識別するシグナリングを受信することをさらに具備し、前記シグナリングは、特定のユーザ設備（ＵＥ）に送信される専用のシグナリング、或いは、全てのＵＥに送信するブロードキャストシグナリングである、［３１］の方法。
［３４］  前記フィードバック情報を決定することは、
前記複数のダウンリンクキャリアの各々でのデータ送信に関する肯定応答（ＡＣＫ）又は否定応答（ＮＡＣＫ）を決定することと、
前記複数のダウンリンクキャリアの各々での前記データ送信に関する前記ＡＣＫ又はＮＡＣＫに基づいて、前記複数のダウンリンクキャリアでの前記データ送信に関するバンドルされたＡＣＫ又はＮＡＣＫを決定することと、
を備える、［２６］の方法。
［３５］  前記フィードバック情報に基づいて複数のコードビットを生成することと、
サブフレームの第１のスロット中で前記複数のコードビットを送信することと、
前記サブフレームの第２のスロット中で前記複数のコードビットを送信することと、をさらに具備する［２６］の方法。
［３６］  前記フィードバック情報に基づいて複数のコードビットを生成することと、
サブフレームの第１のスロット中で前記複数のコードビットの第１のサブセットを送信することと、
前記サブフレームの第２のスロット中で前記複数のコードビットの第２のサブセットを送信することと、をさらに具備する［２６］の方法。
［３７］  複数のダウンリンクキャリアでデータ送信を受信する手段と、
前記データ送信に関するフィードバック情報を決定する手段と、
シングルキャリア周波数分割多元接続（ＳＣ−ＦＤＭＡ）を使用して、少なくとも１つのアップリンクキャリアで前記フィードバック情報を送信する手段と、
を具備する無線通信のための装置。
［３８］  前記フィードバック情報を送信する手段は、前記少なくとも１つのアップリンクキャリアの複数の周波数領域において前記フィードバック情報を送信する手段を備え、各ダウンリンクキャリアに関して１つの周波数領域がある、［３７］の装置。
［３９］  前記フィードバック情報を送信する手段は、１つのアップリンクキャリアの１つの周波数領域において前記フィードバック情報を送信する手段を備える、［３７］の装置。
［４０］  前記フィードバック情報を送信する手段は、前記少なくとも１つのアップリンクキャリアに関する複数のリソースで前記フィードバック情報を送信する手段を備え、前記複数のリソースは、異なる周波数領域、或いは、異なる直交系列、或いは、異なる参照信号系列、或いは、これらの組み合わせに対応する、［３７］の装置。
［４１］  ユーザ設備（ＵＥ）に、複数のダウンリンクキャリアでデータ送信を送信することと、
前記ＵＥから、前記複数のダウンリンクキャリアでの前記データ送信に関するフィードバック情報であって、シングルキャリア周波数分割多元接続（ＳＣ−ＦＤＭＡ）を使用して少なくとも１つのアップリンクキャリアで前記ＵＥによって送信されるフィードバック情報を受信することと、
を具備する無線通信の方法。
［４２］  前記フィードバック情報を受信することは、前記少なくとも１つのアップリンクキャリアの複数の周波数領域において前記フィードバック情報を受信することを備え、各ダウンリンクキャリアに関して１つの周波数領域がある、［４１］の方法。
［４３］  前記フィードバック情報を受信することは、１つのアップリンクキャリアの１つの周波数領域から前記フィードバック情報を受信することを備える、［４１］の方法。
［４４］  前記フィードバック情報を受信することは、前記少なくとも１つのアップリンクキャリアに関する複数のリソースで前記フィードバック情報を受信することを備え、前記複数のリソースは、異なる周波数領域、或いは、異なる直交系列、或いは、異なる参照信号系列、或いは、これらの組み合わせに対応する、［４１］の方法。
［４５］  前記フィードバック情報からバンドルされた肯定応答（ＡＣＫ）又は否定応答（ＮＡＣＫ）を得ることと、
バンドルされたＮＡＣＫが得られる場合に、前記複数のダウンリンクキャリアで前記データ送信を再送信することと、
バンドルされたＡＣＫが得られる場合に、前記データ送信を終了することと、をさらに具備する［４１］の方法。
［４６］  サブフレームの２つのスロット中で反復符号化を用いて送信される前記フィードバック情報に対して復号を実行することをさらに具備する［４１］の方法。
［４７］  サブフレームの２つのスロットにわたって統合符号化を用いて送信される前記フィードバック情報に対して復号を実行することをさらに具備する［４１］の方法。
［４８］  ユーザ設備（ＵＥ）に、複数のダウンリンクキャリアでデータ送信を送信する手段と、
前記ＵＥから、前記複数のダウンリンクキャリアでの前記データ送信に関するフィードバック情報であって、シングルキャリア周波数分割多元接続（ＳＣ−ＦＤＭＡ）を使用して少なくとも１つのアップリンクキャリアで前記ＵＥによって送信されるフィードバック情報を受信する手段と、
を具備する無線通信のための装置。
［４９］  前記フィードバック情報を受信する手段は、前記少なくとも１つのアップリンクキャリアの複数の周波数領域において前記フィードバック情報を受信する手段を備え、各ダウンリンクキャリアに関して１つの周波数領域がある、［４８の装置。
［５０］  前記フィードバック情報を受信する手段は、１つのアップリンクキャリアの１つの周波数領域から前記フィードバック情報を受信する手段を備える、［４８］の装置。
［５１］  前記フィードバック情報を受信する手段は、前記少なくとも１つのアップリンクキャリアに関する複数のリソースで前記フィードバック情報を受信する手段を備え、前記複数のリソースは、異なる周波数領域、或いは、異なる直交系列、或いは、異なる参照信号系列、或いは、これらの組み合わせに対応する、［４８］の装置。
【図１】
0005596130.tif 000006
【図２】
0005596130.tif 000007
【図３】
0005596130.tif 000008
【図４Ａ】
0005596130.tif 000009
【図４Ｂ】
0005596130.tif 000010
【図４Ｃ】
0005596130.tif 000011
【図５】
0005596130.tif 000012
【図６】
0005596130.tif 000013
【図７】
0005596130.tif 000014
【図８】
0005596130.tif 000015
【図９】
0005596130.tif 000016
【図１０】
0005596130.tif 000017
【図１１】
0005596130.tif 000018
【図１２】
0005596130.tif 000019
【図１３】
0005596130.tif 000020
【図１４】
0005596130.tif 000021
【図１５】
0005596130.tif 000022